(57)【要約】  マイクロサンプリングデバイスにより採取された試料中の被分析物の量を決定するための質量分析法を記載する。マイクロサンプリングデバイスにより採取された試料から被分析物を抽出し、液体クロマトグラフィーにより試料を精製し、被分析物をイオン化して、質量分析により検出できる１つ又は複数のイオンを発生させ、質量分析により１つ又は複数のイオンの量を決定することによって試料中の被分析物の量を定量することを対象とする方法が、本明細書で提供される。試料中の被分析物の量を、患者における被分析物の量に関連付ける。【選択図】図１
2018515796.tif 000002
【特許請求の範囲】
【請求項１】
質量分析により試料中の被分析物の量を決定する方法であって、
（ａ）マイクロサンプリングデバイスにより採取された試料から被分析物を抽出すること、
（ｂ）前記被分析物をイオン化して、質量分析により検出できる１つ又は複数のイオンを発生させること、及び
（ｃ）質量分析により前記１つ又は複数のイオンの量を決定すること
を含み、
決定された前記１つ又は複数のイオンの量を用いて、前記試料中の被分析物の量を決定する、方法。
【請求項２】
前記試料中の被分析物の量を患者における被分析物の量に関連付ける、請求項１に記載の方法。
【請求項３】
前記試料が全血、尿、唾液、血漿又は血清試料を含む、請求項１に記載の方法。
【請求項４】
前記抽出ステップが、マイクロサンプリングデバイスにより採取された前記試料に抽出緩衝液を加えることを含む、請求項１に記載の方法。
【請求項５】
前記抽出ステップが、窒素ガス中で乾燥することを含む、請求項４に記載の方法。
【請求項６】
前記抽出ステップが、前記試料を溶液に再構成することを含む、請求項１に記載の方法。
【請求項７】
前記マイクロサンプリングデバイスが、複数の試料の同時の抽出及び質量分析による分析の自動化を可能にする装置を含む、請求項１に記載の方法。
【請求項８】
前記抽出及び質量分析ステップが、自動試料分析を可能にするようにオンライン式で行われる、請求項１に記載の方法。
【請求項９】
前記マイクロサンプリングデバイスにより採取される試料が１００μＬ以下の容積を有する、請求項１に記載の方法。
【請求項１０】
前記マイクロサンプリングデバイスにより採取される試料が５０μＬ以下の容積を有する、請求項１に記載の方法。
【請求項１１】
前記マイクロサンプリングデバイスにより採取される試料が約１０μＬ、約１５μＬ又は約２０μＬの容積を有する、請求項１に記載の方法。
【請求項１２】
質量分析による定量の前に前記試料を加水分解する、請求項１に記載の方法。
【請求項１３】
質量分析の前に前記試料を精製することをさらに含む、請求項１に記載の方法。
【請求項１４】
前記精製することが、前記試料を液体クロマトグラフィーにかけることを含む、請求項１に記載の方法。
【請求項１５】
液体クロマトグラフィーが高速液体クロマトグラフィー（ＨＰＬＣ）又は高乱流液体クロマトグラフ（ＨＴＬＣ）を含む、請求項１４に記載の方法。
【請求項１６】
前記試料が毛細血管血液である、請求項１に記載の方法。
【請求項１７】
前記質量分析がタンデム質量分析である、請求項１に記載の方法。
【請求項１８】
イオン化が大気圧化学イオン化（ＡＰＣＩ）である、請求項１に記載の方法。
【請求項１９】
イオン化がポジティブイオンモードである、請求項１に記載の方法。
【請求項２０】
前記被分析物に対する内部標準を前記試料に加える、請求項１に記載の方法。
【請求項２１】
前記内部標準が重水素化されている又は同位体標識されている、請求項２０に記載の方法。
【請求項２２】
前記マイクロサンプリングデバイスが、抽出及び質量分析による分析の自動化のために設計されたカートリッジに収容されている、請求項１に記載の方法。
【請求項２３】
前記マイクロサンプリングデバイスがＭＩＴＲＡ（登録商標）チップである、請求項１に記載の方法。
【請求項２４】
前記被分析物がステロイドである、請求項１に記載の方法。
【請求項２５】
前記ステロイドが、コルチゾール、コルチゾン、プロゲステロン、１７−ヒドロキシプロゲステロン、アンドロステンジオン、テストステロン、デヒドロエピアンドロステロン、コルチコステロン、デオキシコルチコステロン、１１−デオキシコルチゾール、プレグネノロン、１７−ヒドロキシプレグネノロン、１８−ヒドロキシコルチコステロン、２１−デオキシコルチゾール、２５−ヒドロキシビタミンＤ２又は２５−ヒドロキシビタミンＤ３である、請求項２４に記載の方法。
【請求項２６】
前記被分析物がアヘン剤である、請求項１に記載の方法。
【請求項２７】
前記アヘン剤が、シス−トラマドール、Ｏ−デスメチルトラマドール、タペンタドール、Ｎ−デスメチルタペンタドール、コデイン、モルヒネ、オキシモルフォン、ノルヒドロコドン、オキシコドン、ノルオキシコドン、ヒドロモルフォン、ヒドロコドン、ブプレノルフィン、ノルブプレノルフィン、フェンタニル、ノルフェンタニル、６−モノアセチルモルフィン（６−ＭＡＭ）、メタドン、ジヒドロコデイン、ナロキソン、ナルトレキソン、６β−ナルトレキソール、ナロルフィン、ナルブフィン又は２−エチリデン−１，５−ジメチル−３，３−ジフェニルピロリジン（ＥＤＤＰ）である、請求項２６に記載の方法。
【請求項２８】
前記被分析物がベンゾジアゼピンである、請求項１に記載の方法。
【請求項２９】
前記ベンゾジアゼピンが、オキサゼパム、テマゼパム、ロラゼパム、ノルジアゼパム、ジアゼパム、クロルジアゼポキシド、トリアゾラム、ミダゾラム、アルプラゾラム、クロナゼパム、ブロマゼパム、クロバザム、ニトラゼパム、フェナゼパム、プラゼパム、メダゼパム、フルニトラゼパム又はフルラゼパムである、請求項２８に記載の方法。
【請求項３０】
前記被分析物が抗てんかん薬である、請求項１に記載の方法。
【請求項３１】
前記抗てんかん薬が、バルプロ酸、チアガビン、トピラメート、レビチラセツム、ラモトリギン、ラコサミド、エトスキシミド、カルバマゼピン、エスリカルバマゼピン、１０，１１−カルバマゼピン、フェノバルビタール、ルフィナミド、プリミドン、フェニトイン、ゾニサミド、フェルバメート、ガバペンチン又はプレガブリンである、請求項３０に記載の方法。
【請求項３２】
前記被分析物が免疫抑制薬である、請求項１に記載の方法。
【請求項３３】
前記免疫抑制薬がシクロスポリンＡ、シロリムス、タクロリムス又はエベロリムスである、請求項３２に記載の方法。
【請求項３４】
前記被分析物がバルビツレートである、請求項１に記載の方法。
【請求項３５】
前記バルビツレートが、フェノバルビタール、アモバルビタール、ブタルビタール、ペントバルビタール、セコバルビタール又はチオペンタールである、請求項３５に記載の方法。
【請求項３６】
前記被分析物がタモキシフェン又はその代謝物である、請求項１に記載の方法。
【請求項３７】
前記代謝物が、ノルエンドキシフェン、Ｎ−デスメチル−４−ヒドロキシタモキシフェン、４’−ヒドロキシタモキシフェン、４−ヒドロキシタモキシフェン、Ｎ−デスメチル−４’−ヒドロキシタモキシフェン、Ｎ−デスメチルタモキシフェンである、請求項３６に記載の方法。
【請求項３８】
前記被分析物が抗腫瘍薬である、請求項１に記載の方法。
【請求項３９】
前記被分析物がアナストロゾール、レトロゾール又はエクゼメスタンである、請求項３８に記載の方法。
【請求項４０】
前記被分析物がテトラヒドロカンナビノール（ＴＨＣ）又はその代謝物である、請求項１に記載の方法。
【請求項４１】
質量分析により試料中の被分析物の量を決定する方法であって、
（ａ）マイクロサンプリングデバイスにより採取された試料から被分析物を抽出すること、
（ｂ）前記試料を液体クロマトグラフィーにより精製すること、
（ｃ）前記被分析物をイオン化して、質量分析により検出できる１つ又は複数のイオンを発生させること、及び
（ｄ）質量分析により前記１つ又は複数のイオンの量を決定すること
を含み、
決定された前記１つ又は複数のイオンの量を用いて、前記試料中の被分析物の量を決定する、方法。
【請求項４２】
質量分析により試料中の被分析物の量を決定する方法であって、
（ａ）１００μＬ以下の試料から被分析物を抽出すること、
（ｂ）前記試料を液体クロマトグラフィーにより精製すること、
（ｃ）前記被分析物をイオン化して、質量分析により検出できる１つ又は複数のイオンを発生させること、及び
（ｄ）質量分析により前記１つ又は複数のイオンの量を決定すること
を含み、
決定された前記１つ又は複数のイオンの量を用いて、前記試料中の被分析物の量を決定する、方法。
【請求項４３】
５０μＬ以下又は３０μＬ以下の試料から被分析物を抽出することを含む、請求項４２に記載の方法。
【発明の詳細な説明】
【技術分野】
【０００１】
関連特許出願の相互参照
本出願は、それぞれがその全体として参照により本明細書に組み込まれる、２０１５年５月２７日に出願された米国特許出願第６２／１６７，１６４号の優先権を主張するものである。
【背景技術】
【０００２】
患者からの被分析物の質量分析による定量には、比較的に多量の体液試料の採取が必要である。そのような試料は、輸送のためにドライアイスで冷凍することや凍結することが必要であり、これは、費用がかかり、試料を取り扱う人員に負担がかかることである。また、体液試料は、特殊な輸送方法を必要とするバイオハザードであると見なされ得る。
【０００３】
乾燥血液スポットカードを用いて患者試料を採取するには、上述の体液採取よりも少ない量を必要とする。乾燥血液スポット検体は、かかと又は指を穿刺することによって得られた数滴の血液を濾紙にのせて吸い取らせることにより採取し、それを抽出及び分析のために穴開け器で打抜く。しかし、乾燥血液スポットカードは、濾紙に血液をのせた後に起こる赤血球と血清の本来的な分離により、定量に一貫性がなく、バラつきがあるという問題がある。また、抽出され、分析される穴開け部分の位置の変動が定量結果に著しい影響を及ぼす可能性がある。
【０００４】
被分析物の質量分析による定量のための信頼できる正確な方法が必要である。
【発明の概要】
【０００５】
一態様において、本明細書で提供されるのは、マイクロサンプリングデバイスにより採取され、抽出された被分析物の質量分析による定量のための方法である。
【０００６】
特定の実施形態において、本明細書で提供される方法は、（ａ）マイクロサンプリングデバイスにより採取された試料から被分析物を抽出すること、（ｂ）被分析物をイオン化して、質量分析により検出できる１つ又は複数のイオンを発生させること、及び（ｃ）質量分析により１つ又は複数のイオンの量を決定することを含む、試料中の被分析物の量を定量することを対象とする。いくつかの実施形態において、決定された１つ又は複数のイオンの量を用いて、試料中の被分析物の量を決定する。いくつかの実施形態において、試料中の被分析物の量を患者における被分析物の量に関連付ける。
【０００７】
特定の実施形態において、本明細書で提供される方法は、（ａ）マイクロサンプリングデバイスにより採取された毛細血管血液試料から被分析物を抽出すること、（ｂ）被分析物をイオン化して、質量分析により検出できる１つ又は複数のイオンを発生させること、及び（ｃ）質量分析により１つ又は複数のイオンの量を決定することを含む、毛細血管血液試料中の被分析物の量を定量することを対象とする。いくつかの実施形態において、決定された１つ又は複数のイオンの量を用いて、試料中の被分析物の量を決定する。いくつかの実施形態において、試料中の被分析物の量を患者における被分析物の量に関連付ける。
【０００８】
いくつかの実施形態において、毛細血管血液をマイクロサンプリングデバイスにより採取する。いくつかの実施形態において、毛細血管血液を乾燥血液スポットにより採取しない。
【０００９】
いくつかの実施形態において、本明細書で提供される方法は、質量分析の前に試料を精製することを含む。いくつかの実施形態において、方法は、液体クロマトグラフィーを用いて試料を精製することを含む。いくつかの実施形態において、液体クロマトグラフィーは、高速液体クロマトグラフィー（ＨＰＬＣ）又は高乱流液体クロマトグラフ（ＨＴＬＣ）を含む。いくつかの実施形態において、方法は、試料を固相抽出（ＳＰＥ）にかけることを含む。いくつかの実施形態において、方法は、試料を逆相分析カラムにかけることを含む。
【００１０】
いくつかの実施形態において、本明細書で提供される方法は、（ａ）マイクロサンプリングデバイスにより採取された試料から被分析物を抽出すること、（ｂ）試料を液体クロマトグラフィーにより精製すること、（ｃ）被分析物をイオン化して、質量分析により検出できる１つ又は複数のイオンを発生させること、及び（ｄ）質量分析により１つ又は複数のイオンの量を決定することを含む、試料中の被分析物の量を定量することを対象とする。いくつかの実施形態において、決定された１つ又は複数のイオンの量を用いて、試料中の被分析物の量を決定する。いくつかの実施形態において、試料中の被分析物の量を患者における被分析物の量に関連付ける。
【００１１】
いくつかの実施形態において、質量分析は、タンデム質量分析を含む。いくつかの実施形態において、質量分析は、高分解能質量分析である。いくつかの実施形態において、質量分析は、高分解能／高精度質量分析である。
【００１２】
いくつかの実施形態において、イオン化は、大気圧化学イオン化（ＡＰＣＩ）による。いくつかの実施形態において、イオン化は、エレクトロスプレーイオン化（ＥＳＩ）による。いくつかの実施形態において、前記イオン化は、ポジティブイオンモードである。いくつかの実施形態において、前記イオン化は、ネガティブイオンモードである。
【００１３】
いくつかの実施形態において、試料を含有するマイクロサンプリングデバイスを９６ウエルプレートに入れる。いくつかの実施形態において、試料を含有するマイクロサンプリングデバイスを９６ラックに入れる。いくつかの実施形態において、自動化により９６ラックを９６ウエルプレートに入れる。いくつかの実施形態において、自動化は、ＨＡＭＩＬＴＯＮ（登録商標）自動化である。
【００１４】
いくつかの実施形態において、本明細書で提供される方法は、試料に内部標準を添加することを含む。いくつかの実施形態において、内部標準は、標識されている。いくつかの実施形態において、内部標準は、重水素化されている又は同位体標識されている。いくつかの実施形態において、内部標準を抽出緩衝液と共に加える。いくつかの実施形態において、マイクロサンプリングデバイスを内部標準であらかじめ湿らせ、乾燥する。
【００１５】
いくつかの実施形態において、抽出ステップは、マイクロサンプリングデバイスにより採取された試料に抽出緩衝液を加えることを含む。いくつかの実施形態において、抽出ステップは、試料を含有するマイクロサンプリングデバイスを抽出溶媒を含有する９６ウエルプレートに入れることを含む。いくつかの実施形態において、抽出ステップを自動化する。いくつかの実施形態において、９６ウエルプレートをボルテックスし、次いでマイクロサンプリングデバイスの吸収チップを除去する。いくつかの実施形態において、抽出ステップは、窒素中で乾燥することを含む。いくつかの実施形態において、抽出ステップは、試料を溶液に再構成することを含む。いくつかの実施形態において、再構成は、水性酸若しくは有機物溶液又は両方を試料に加えることを含む。いくつかの実施形態において、再構成された溶液を濾過する。
【００１６】
いくつかの実施形態において、本明細書で提供される方法は、複数の試料の同時の抽出及び質量分析のハイスループット自動化を含む。いくつかの実施形態において、本明細書で提供される方法は、複数の試料の同時の抽出及び質量分析の自動化を可能にする装置を用いることを含む。いくつかの実施形態において、自動化を可能にする装置は、マイクロサンプリングデバイスを含む。いくつかの実施形態において、マイクロサンプリングデバイスは、ハイスループット装置に配置されている。
【００１７】
いくつかの実施形態において、抽出試料を質量分析システムに注入する。いくつかの実施形態において、抽出試料を液体クロマトグラフィーに注入する。いくつかの実施形態において、抽出及び質量分析ステップは、自動化試料分析を可能にするようにオンライン式で実施する。いくつかの実施形態において、抽出、精製及び質量分析ステップは、自動化試料分析を可能にするようにオンライン式で実施する。
【００１８】
いくつかの実施形態において、被分析物は、誘導体化されていない。
【００１９】
いくつかの実施形態において、マイクロサンプリングデバイスにより採取された試料は、試料の処理を必要としない。
【００２０】
いくつかの実施形態において、マイクロサンプリングデバイスにより採取された試料は、全血である。いくつかの実施形態において、マイクロサンプリングデバイスにより採取された試料は、尿である。いくつかの実施形態において、マイクロサンプリングデバイスにより採取された試料は、唾液である。いくつかの実施形態において、マイクロサンプリングデバイスにより採取された試料は、血清又は血漿である。
【００２１】
いくつかの実施形態において、マイクロサンプリングデバイスは、試料を採取する吸収チップを含む。いくつかの実施形態において、マイクロサンプリングデバイスにより採取された試料は、一定の容積の患者体液を吸収している。いくつかの実施形態において、患者体液は、毛細血管血液である。いくつかの実施形態において、マイクロサンプリングデバイスにより採取された試料は、１５０μＬ以下の容積を有する。いくつかの実施形態において、マイクロサンプリングデバイスにより採取された試料は、１００μＬ以下の容積を有する。いくつかの実施形態において、マイクロサンプリングデバイスにより採取された試料は、５０μＬ以下の容積を有する。いくつかの実施形態において、マイクロサンプリングデバイスにより採取された試料は、５μＬから１５０μＬまで（５μＬと１５０μＬを含む）の容積を有する。いくつかの実施形態において、マイクロサンプリングデバイスにより採取された試料は、１０μＬから１００μＬまで（１０μＬと１００μＬを含む）の容積を有する。いくつかの実施形態において、マイクロサンプリングデバイスにより採取された試料は、約１０μＬの容積を有する。いくつかの実施形態において、マイクロサンプリングデバイスにより採取された試料は、約１５μＬの容積を有する。いくつかの実施形態において、マイクロサンプリングデバイスにより採取された試料は、約２０μＬの容積を有する。いくつかの実施形態において、マイクロサンプリングデバイスにより採取された試料は、約３０μＬの容積を有する。いくつかの実施形態において、マイクロサンプリングデバイスにより採取された試料は、約５０μＬの容積を有する。いくつかの実施形態において、マイクロサンプリングデバイスにより採取された試料は、約１００μＬの容積を有する。いくつかの実施形態において、マイクロサンプリングデバイスにより採取された試料は、ヘマトクリットの量にかかわらず、一定容積の血液を吸収している。
【００２２】
特定の実施形態において、本明細書で提供される方法は、低容積の試料中の被分析物の量を定量することを対象とする。いくつかの実施形態において、本明細書で提供される方法は、（ａ）１００μＬ以下の試料から被分析物を抽出すること、（ｂ）被分析物をイオン化して、質量分析により検出できる１つ又は複数のイオンを発生させること、及び（ｃ）質量分析により１つ又は複数のイオンの量を決定することを含む、試料中の被分析物の量を定量することを対象とする。いくつかの実施形態において、決定された１つ又は複数のイオンの量を用いて、試料中の被分析物の量を決定する。いくつかの実施形態において、試料中の被分析物の量を患者における被分析物の量に関連付ける。
【００２３】
いくつかの実施形態において、試料は、毛細血管血液試料である。いくつかの実施形態において、試料は、静脈血試料でない。
【００２４】
いくつかの実施形態において、本明細書で提供される方法は、低容積の毛細血管血液試料中の被分析物の量を定量することを対象とする。いくつかの実施形態において、本明細書で提供される方法は、（ａ）１００μＬ以下の毛細血管血液試料から被分析物を抽出すること、（ｂ）液体クロマトグラフィーにより試料を精製すること、（ｃ）被分析物をイオン化して、質量分析により検出できる１つ又は複数のイオンを発生させること、及び（ｄ）質量分析により１つ又は複数のイオンの量を決定することを含む、試料中の被分析物の量を定量することを対象とする。いくつかの実施形態において、決定された１つ又は複数のイオンの量を用いて、毛細血管血液試料中の被分析物の量を決定する。いくつかの実施形態において、試料中の被分析物の量を患者における被分析物の量に関連付ける。
【００２５】
いくつかの実施形態において、方法は、５０μＬ以下の試料から被分析物を抽出することを含む。いくつかの実施形態において、方法は、３０μＬ以下の試料から被分析物を抽出することを含む。いくつかの実施形態において、方法は、２０μＬ以下の試料から被分析物を抽出することを含む。いくつかの実施形態において、方法は、１５μＬ以下の試料から被分析物を抽出することを含む。いくつかの実施形態において、方法は、１０μＬ以下の試料から被分析物を抽出することを含む。
【００２６】
いくつかの実施形態において、マイクロサンプリングデバイスにより採取された試料は、冷凍又は凍結せずに輸送することができる。いくつかの実施形態において、マイクロサンプリングデバイスにより採取された試料は、ドライアイスを用いずに輸送することができる。いくつかの実施形態において、マイクロサンプリングデバイスにより採取された試料は、室温で輸送することができる。いくつかの実施形態において、マイクロサンプリングデバイスにより採取された試料は、バイオハザードの懸念なしに輸送することができる。
【００２７】
いくつかの実施形態において、マイクロサンプリングデバイスにより採取された試料は、採取のための訓練をほとんど必要としない。いくつかの実施形態において、マイクロサンプリングデバイスにより採取される試料は、どこでも採取することができる。いくつかの実施形態において、マイクロサンプリングデバイスにより採取された試料は、輸送のために周囲温度で乾燥することができる。
【００２８】
いくつかの実施形態において、マイクロサンプリングデバイスは、抽出及び質量分析の自動化を可能にする装置を含む。いくつかの実施形態において、マイクロサンプリングデバイスは、複数の試料の同時の抽出及び質量分析のハイスループット自動化を可能にする装置を含む。いくつかの実施形態において、マイクロサンプリングデバイスは、ＭＩＴＲＡ（登録商標）チップである。いくつかの実施形態において、マイクロサンプリングデバイスは、抽出及び質量分析の自動化のために設計されたカートリッジに収容されている。
【００２９】
いくつかの実施形態において、方法は、マイクロサンプリングデバイスにより試料を採取することをさらに含む。いくつかの実施形態において、採取するステップは、指穿刺を実施することと、マイクロサンプリングデバイスの吸収チップを血液に当てることとを含む。いくつかの実施形態において、採取するステップは、吸収チップを患者の尿又は唾液中に入れることを含む。いくつかの実施形態において、マイクロサンプリングデバイスに採取された試料を風乾する。いくつかの実施形態において、マイクロサンプリングデバイスに採取された試料を輸送の前に１〜２時間風乾する。
【００３０】
いくつかの実施形態において、被分析物は、ステロイドである。いくつかの実施形態において、ステロイドは、コルチゾール、コルチゾン、プロゲステロン、１７−ヒドロキシプロゲステロン、アンドロステンジオン、テストステロン、デヒドロエピアンドロステロン、コルチコステロン、デオキシコルチコステロン、１１−デオキシコルチゾール、プレグネノロン、１７−ヒドロキシプレグネノロン、１８−ヒドロキシコルチコステロン又は２１−デオキシコルチゾールである。いくつかの実施形態において、被分析物は、先天性副腎過形成（ＣＡＨ）を診断するためのステロイドパネルにおけるステロイドである。いくつかの実施形態において、ステロイドは、コルチゾール、コルチゾン、プロゲステロン、１７−ヒドロキシプロゲステロン、アンドロステンジオン、テストステロン、デヒドロエピアンドロステロン、コルチコステロン、デオキシコルチコステロン、１１−デオキシコルチゾール、プレグネノロン、１７−ヒドロキシプレグネノロン、１８−ヒドロキシコルチコステロン及び２１−デオキシコルチゾールからなる群から選択される。いくつかの実施形態において、ステロイドは、２５−ヒドロキシビタミンＤ２又は２５−ヒドロキシビタミンＤ３である。
【００３１】
いくつかの実施形態において、１つ又は複数のイオンは、３６１．４±０．５の質量電荷比（ｍ／ｚ）を有するコルチゾン前駆イオンを含む。いくつかの実施形態において、１つ又は複数のイオンは、１２１．２±０．５又は１６３．２±０．５の質量電荷比（ｍ／ｚ）を有する１つ又は複数のフラグメントイオンを含む。いくつかの実施形態において、１つ又は複数のイオンは、３６３．４±０．５の質量電荷比（ｍ／ｚ）を有するコルチゾール前駆イオンを含む。いくつかの実施形態において、１つ又は複数のイオンは、１２１．１±０．５又は２６７．２±０．５の質量電荷比（ｍ／ｚ）を有する１つ又は複数のフラグメントイオンを含む。いくつかの実施形態において、１つ又は複数のイオンは、３４７．３±０．５の質量電荷比（ｍ／ｚ）を有する２１−デオキシコルチゾール前駆イオンを含む。いくつかの実施形態において、１つ又は複数のイオンは、１２１．１±０．５又は２６９．２±０．５の質量電荷比（ｍ／ｚ）を有する１つ又は複数のフラグメントイオンを含む。いくつかの実施形態において、１つ又は複数のイオンは、３４７．４±０．５の質量電荷比（ｍ／ｚ）を有するコルチコステロン前駆イオンを含む。いくつかの実施形態において、１つ又は複数のイオンは、１２１．１±０．５又は３１１．３±０．５の質量電荷比（ｍ／ｚ）を有する１つ又は複数のフラグメントイオンを含む。いくつかの実施形態において、１つ又は複数のイオンは、３４７．４±０．５の質量電荷比（ｍ／ｚ）を有する１１−デオキシコルチゾール前駆イオンを含む。いくつかの実施形態において、１つ又は複数のイオンは、９７．１±０．５又は１０９．１±０．５の質量電荷比（ｍ／ｚ）を有する１つ又は複数のフラグメントイオンを含む。いくつかの実施形態において、１つ又は複数のイオンは、２８７．４±０．５の質量電荷比（ｍ／ｚ）を有するアンドロステンジオン前駆イオンを含む。いくつかの実施形態において、１つ又は複数のイオンは、９７．１±０．５又は１０９．１±０．５の質量電荷比（ｍ／ｚ）を有する１つ又は複数のフラグメントイオンを含む。いくつかの実施形態において、１つ又は複数のイオンは、３３１．４±０．５の質量電荷比（ｍ／ｚ）を有する１１−デオキシコルチコステロン前駆イオンを含む。いくつかの実施形態において、１つ又は複数のイオンは、９７．１±０．５又は１０９．１±０．５の質量電荷比（ｍ／ｚ）を有する１つ又は複数のフラグメントイオンを含む。いくつかの実施形態において、１つ又は複数のイオンは、２８９．４±０．５の質量電荷比（ｍ／ｚ）を有するテストステロン前駆イオンを含む。いくつかの実施形態において、１つ又は複数のイオンは、９７．１±０．５又は１０９．１±０．５の質量電荷比（ｍ／ｚ）を有する１つ又は複数のフラグメントイオンを含む。いくつかの実施形態において、１つ又は複数のイオンは、３３１．４±０．５の質量電荷比（ｍ／ｚ）を有する１７−ヒドロキシプロゲステロン前駆イオンを含む。いくつかの実施形態において、１つ又は複数のイオンは、９７．１±０．５又は１０９．１±０．５の質量電荷比（ｍ／ｚ）を有する１つ又は複数のフラグメントイオンを含む。いくつかの実施形態において、１つ又は複数のイオンは、３１５．３±０．５の質量電荷比（ｍ／ｚ）を有するプロゲステロン前駆イオンを含む。いくつかの実施形態において、１つ又は複数のイオンは、９７．１±０．５又は１０９．１±０．５の質量電荷比（ｍ／ｚ）を有する１つ又は複数のフラグメントイオンを含む。いくつかの実施形態において、１つ又は複数のイオンは、３６９．４±０．５の質量電荷比（ｍ／ｚ）を有するコルチゾン−ｄ７前駆イオンを含む。いくつかの実施形態において、１つ又は複数のイオンは、１６９．２±０．５の質量電荷比（ｍ／ｚ）を有する１つ又は複数のフラグメントイオンを含む。いくつかの実施形態において、１つ又は複数のイオンは、３６７．４±０．５の質量電荷比（ｍ／ｚ）を有するコルチゾール−ｄ４前駆イオンを含む。いくつかの実施形態において、１つ又は複数のイオンは、１２１．０±０．５の質量電荷比（ｍ／ｚ）を有する１つ又は複数のフラグメントイオンを含む。いくつかの実施形態において、１つ又は複数のイオンは、３５１．１±０．５の質量電荷比（ｍ／ｚ）を有するコルチコステロン−ｄ４前駆イオンを含む。いくつかの実施形態において、１つ又は複数のイオンは、１２１．１±０．５の質量電荷比（ｍ／ｚ）を有する１つ又は複数のフラグメントイオンを含む。いくつかの実施形態において、１つ又は複数のイオンは、３５０．４±０．５の質量電荷比（ｍ／ｚ）を有する１１−デオキシコルチゾール−１３Ｃ３前駆イオンを含む。いくつかの実施形態において、１つ又は複数のイオンは、１００．１±０．５の質量電荷比（ｍ／ｚ）を有する１つ又は複数のフラグメントイオンを含む。いくつかの実施形態において、１つ又は複数のイオンは、２９０．４±０．５の質量電荷比（ｍ／ｚ）を有するアンドロステンジオン−１３Ｃ３前駆イオンを含む。いくつかの実施形態において、１つ又は複数のイオンは、１００．１±０．５の質量電荷比（ｍ／ｚ）を有する１つ又は複数のフラグメントイオンを含む。いくつかの実施形態において、１つ又は複数のイオンは、２９２．４±０．５の質量電荷比（ｍ／ｚ）を有するテストステロン−１３Ｃ３前駆イオンを含む。いくつかの実施形態において、１つ又は複数のイオンは、１１２．１±０．５の質量電荷比（ｍ／ｚ）を有する１つ又は複数のフラグメントイオンを含む。いくつかの実施形態において、１つ又は複数のイオンは、３３４．３±０．５の質量電荷比（ｍ／ｚ）を有する１７−ヒドロキシプロゲステロン−１３Ｃ３前駆イオンを含む。いくつかの実施形態において、１つ又は複数のイオンは、１００．０±０．５の質量電荷比（ｍ／ｚ）を有する１つ又は複数のフラグメントイオンを含む。いくつかの実施形態において、１つ又は複数のイオンは、３１８．５±０．５の質量電荷比（ｍ／ｚ）を有するプロゲステロン−１３Ｃ３前駆イオンを含む。いくつかの実施形態において、１つ又は複数のイオンは、１００．１±０．５の質量電荷比（ｍ／ｚ）を有する１つ又は複数のフラグメントイオンを含む。
【００３２】
いくつかの実施形態において、被分析物は、アヘン剤である。いくつかの実施形態において、アヘン剤は、シス−トラマドール、Ｏ−デスメチルトラマドール、タペンタドール、Ｎ−デスメチルタペンタドール、コデイン、モルヒネ、オキシモルフォン、ノルヒドロコドン、オキシコドン、ノルオキシコドン、ヒドロモルフォン、ヒドロコドン、ブプレノルフィン、ノルブプレノルフィン、フェンタニル、ノルフェンタニル、６−モノアセチルモルフィン（６−ＭＡＭ）、メタドン、ジヒドロコデイン、ナロキソン、ナルトレキソン、６β−ナルトレキソール、ナロルフィン、ナルブフィン又は２−エチリデン−１，５−ジメチル−３，３−ジフェニルピロリジン（ＥＤＤＰ）である。いくつかの実施形態において、アヘン剤は、シス−トラマドール、Ｏ−デスメチルトラマドール、タペンタドール、Ｎ−デスメチルタペンタドール、コデイン、モルヒネ、オキシモルフォン、ノルヒドロコドン、オキシコドン、ノルオキシコドン、ヒドロモルフォン、ヒドロコドン、ブプレノルフィン、ノルブプレノルフィン、フェンタニル、ノルフェンタニル、６−モノアセチルモルフィン（６−ＭＡＭ）、メタドン、ジヒドロコデイン、ナロキソン、ナルトレキソン、６β−ナルトレキソール、ナロルフィン、ナルブフィン及び２−エチリデン−１，５−ジメチル−３，３−ジフェニルピロリジン（ＥＤＤＰ）からなる群から選択される。いくつかの実施形態において、アヘン剤を全血、唾液又は尿試料から抽出する。
【００３３】
いくつかの実施形態において、被分析物は、ベンゾジアゼピンである。いくつかの実施形態において、ベンゾジアゼピンは、オキサゼパム、テマゼパム、ロラゼパム、ノルジアゼパム、ジアゼパム、クロルジアゼポキシド、トリアゾラム、ミダゾラム、アルプラゾラム、クロナゼパム、ブロマゼパム、クロバザム、ニトラゼパム、フェナゼパム、プラゼパム、メダゼパム、フルニトラゼパム又はフルラゼパムである。いくつかの実施形態において、ベンゾジアゼピンは、オキサゼパム、テマゼパム、ロラゼパム、ノルジアゼパム、ジアゼパム、クロルジアゼポキシド、トリアゾラム、ミダゾラム、アルプラゾラム、クロナゼパム、ブロマゼパム、クロバザム、ニトラゼパム、フェナゼパム、プラゼパム、メダゼパム、フルニトラゼパム及びフルラゼパムからなる群から選択される。いくつかの実施形態において、ベンゾジアゼピンを全血又は尿試料から抽出する。
【００３４】
いくつかの実施形態において、１つ又は複数のイオンは、３１６±０．５の質量電荷比（ｍ／ｚ）を有するブロマゼパム前駆イオンを含む。いくつかの実施形態において、１つ又は複数のイオンは、２１４±０．５又は２７０±０．５の質量電荷比（ｍ／ｚ）を有する１つ又は複数のフラグメントイオンを含む。いくつかの実施形態において、１つ又は複数のイオンは、２８７±０．５の質量電荷比（ｍ／ｚ）を有するオキサゼパム前駆イオンを含む。いくつかの実施形態において、１つ又は複数のイオンは、１０４±０．５又は２４１±０．５の質量電荷比（ｍ／ｚ）を有する１つ又は複数のフラグメントイオンを含む。いくつかの実施形態において、１つ又は複数のイオンは、３００±０．５の質量電荷比（ｍ／ｚ）を有するクロバザム前駆イオンを含む。いくつかの実施形態において、１つ又は複数のイオンは、２２４±０．５又は２５９±０．５の質量電荷比（ｍ／ｚ）を有する１つ又は複数のフラグメントイオンを含む。いくつかの実施形態において、１つ又は複数のイオンは、２８２±０．５の質量電荷比（ｍ／ｚ）を有するニトラゼパム前駆イオンを含む。いくつかの実施形態において、１つ又は複数のイオンは、１８０±０．５又は２３６±０．５の質量電荷比（ｍ／ｚ）を有する１つ又は複数のフラグメントイオンを含む。いくつかの実施形態において、１つ又は複数のイオンは、３０９．１±０．５の質量電荷比（ｍ／ｚ）を有するアルプラゾラム前駆イオンを含む。いくつかの実施形態において、１つ又は複数のイオンは、１６５±０．５又は２８０．９±０．５の質量電荷比（ｍ／ｚ）を有する１つ又は複数のフラグメントイオンを含む。いくつかの実施形態において、１つ又は複数のイオンは、３４３±０．５の質量電荷比（ｍ／ｚ）を有するトリアゾラム前駆イオンを含む。いくつかの実施形態において、１つ又は複数のイオンは、２０６±０．５又は３０８±０．５の質量電荷比（ｍ／ｚ）を有する１つ又は複数のフラグメントイオンを含む。いくつかの実施形態において、１つ又は複数のイオンは、３１６±０．５の質量電荷比（ｍ／ｚ）を有するクロナゼパム前駆イオンを含む。いくつかの実施形態において、１つ又は複数のイオンは、２１４±０．５又は２７０±０．５の質量電荷比（ｍ／ｚ）を有する１つ又は複数のフラグメントイオンを含む。いくつかの実施形態において、１つ又は複数のイオンは、３８８±０．５の質量電荷比（ｍ／ｚ）を有するフルラゼパム前駆イオンを含む。いくつかの実施形態において、１つ又は複数のイオンは、２８７．９±０．５又は３１５±０．５の質量電荷比（ｍ／ｚ）を有する１つ又は複数のフラグメントイオンを含む。いくつかの実施形態において、１つ又は複数のイオンは、３２１±０．５の質量電荷比（ｍ／ｚ）を有するロラゼパム前駆イオンを含む。いくつかの実施形態において、１つ又は複数のイオンは、２２９．１±０．５又は３３１±０．５の質量電荷比（ｍ／ｚ）を有する１つ又は複数のフラグメントイオンを含む。いくつかの実施形態において、１つ又は複数のイオンは、３１４±０．５の質量電荷比（ｍ／ｚ）を有するフルニトラゼパム前駆イオンを含む。いくつかの実施形態において、１つ又は複数のイオンは、２１１±０．５又は２６８±０．５の質量電荷比（ｍ／ｚ）を有する１つ又は複数のフラグメントイオンを含む。いくつかの実施形態において、１つ又は複数のイオンは、３０１．１±０．５の質量電荷比（ｍ／ｚ）を有するテマゼパム前駆イオンを含む。いくつかの実施形態において、１つ又は複数のイオンは、１７７±０．５又は２５５±０．５の質量電荷比（ｍ／ｚ）を有する１つ又は複数のフラグメントイオンを含む。いくつかの実施形態において、１つ又は複数のイオンは、３２６±０．５の質量電荷比（ｍ／ｚ）を有するミダゾラム前駆イオンを含む。いくつかの実施形態において、１つ又は複数のイオンは、１２９±０．５又は２４４±０．５の質量電荷比（ｍ／ｚ）を有する１つ又は複数のフラグメントイオンを含む。いくつかの実施形態において、１つ又は複数のイオンは、２７１±０．５の質量電荷比（ｍ／ｚ）を有するノルジアゼパム前駆イオンを含む。いくつかの実施形態において、１つ又は複数のイオンは、１３９．８±０．５又は１６５±０．５の質量電荷比（ｍ／ｚ）を有する１つ又は複数のフラグメントイオンを含む。いくつかの実施形態において、１つ又は複数のイオンは、３５１±０．５の質量電荷比（ｍ／ｚ）を有するフェナゼパム前駆イオンを含む。いくつかの実施形態において、１つ又は複数のイオンは、１８５．９±０．５又は２０６±０．５の質量電荷比（ｍ／ｚ）を有する１つ又は複数のフラグメントイオンを含む。いくつかの実施形態において、１つ又は複数のイオンは、３０１±０．５の質量電荷比（ｍ／ｚ）を有するクロルジアゼパム前駆イオンを含む。いくつかの実施形態において、１つ又は複数のイオンは、２５９±０．５又は２２４±０．５の質量電荷比（ｍ／ｚ）を有する１つ又は複数のフラグメントイオンを含む。いくつかの実施形態において、１つ又は複数のイオンは、２８５±０．５の質量電荷比（ｍ／ｚ）を有するジアゼパム前駆イオンを含む。いくつかの実施形態において、１つ又は複数のイオンは、１５４±０．５又は１９３±０．５の質量電荷比（ｍ／ｚ）を有する１つ又は複数のフラグメントイオンを含む。いくつかの実施形態において、１つ又は複数のイオンは、３２５±０．５の質量電荷比（ｍ／ｚ）を有するプラゼパム前駆イオンを含む。いくつかの実施形態において、１つ又は複数のイオンは、１６５±０．５又は２７１±０．５の質量電荷比（ｍ／ｚ）を有する１つ又は複数のフラグメントイオンを含む。いくつかの実施形態において、１つ又は複数のイオンは、２７１±０．５の質量電荷比（ｍ／ｚ）を有するメダゼパム前駆イオンを含む。いくつかの実施形態において、１つ又は複数のイオンは、１８０±０．５又は２０７．１±０．５の質量電荷比（ｍ／ｚ）を有する１つ又は複数のフラグメントイオンを含む。
【００３５】
いくつかの実施形態において、被分析物は、抗てんかん薬である。いくつかの実施形態において、抗てんかん薬は、バルプロ酸、チアガビン、トピラメート、レビチラセツム、ラモトリギン、ラコサミド、エトスキシミド、カルバマゼピン、エスリカルバマゼピン、１０，１１−カルバマゼピン、フェノバルビタール、ルフィナミド、プリミドン、フェニトイン、ゾニサミド、フェルバメート、ガバペンチン又はプレガブリンである。いくつかの実施形態において、抗てんかん薬は、バルプロ酸、チアガビン、トピラメート、レビチラセツム、ラモトリギン、ラコサミド、エトスキシミド、カルバマゼピン、エスリカルバマゼピン、１０，１１−カルバマゼピン、フェノバルビタール、ルフィナミド、プリミドン、フェニトイン、ゾニサミド、フェルバメート、ガバペンチン及びプレガブリンからなる群から選択される。いくつかの実施形態において、抗てんかん薬を全血試料から抽出する。
【００３６】
いくつかの実施形態において、１つ又は複数のイオンは、３３９±０．５の質量電荷比（ｍ／ｚ）を有するフェルバメート前駆イオンを含む。いくつかの実施形態において、１つ又は複数のイオンは、１１７．３±０．５又は２６１±０．５の質量電荷比（ｍ／ｚ）を有する１つ又は複数のフラグメントイオンを含む。いくつかの実施形態において、１つ又は複数のイオンは、１１７±０．５の質量電荷比（ｍ／ｚ）を有するフェルバメート前駆イオンを含む。いくつかの実施形態において、１つ又は複数のイオンは、１１５±０．５又は９１±０．５の質量電荷比（ｍ／ｚ）を有する１つ又は複数のフラグメントイオンを含む。いくつかの実施形態において、１つ又は複数のイオンは、１４２±０．５の質量電荷比（ｍ／ｚ）を有するエトスキシミド前駆イオンを含む。いくつかの実施形態において、１つ又は複数のイオンは、４４．３±０．５又は３９．３±０．５の質量電荷比（ｍ／ｚ）を有する１つ又は複数のフラグメントイオンを含む。いくつかの実施形態において、１つ又は複数のイオンは、２５１±０．５の質量電荷比（ｍ／ｚ）を有するラコサミド前駆イオンを含む。いくつかの実施形態において、１つ又は複数のイオンは、９１．２±０．５又は６５．２±０．５の質量電荷比（ｍ／ｚ）を有する１つ又は複数のフラグメントイオンを含む。いくつかの実施形態において、１つ又は複数のイオンは、２５６±０．５の質量電荷比（ｍ／ｚ）を有するラモトリギン前駆イオンを含む。いくつかの実施形態において、１つ又は複数のイオンは、２１１±０．５又は１４５±０．５の質量電荷比（ｍ／ｚ）を有する１つ又は複数のフラグメントイオンを含む。いくつかの実施形態において、１つ又は複数のイオンは、３３８．２±０．５の質量電荷比（ｍ／ｚ）を有するトピラメート前駆イオンを含む。いくつかの実施形態において、１つ又は複数のイオンは、７８．２±０．５又は９６．２±０．５の質量電荷比（ｍ／ｚ）を有する１つ又は複数のフラグメントイオンを含む。いくつかの実施形態において、１つ又は複数のイオンは、１７２．３±０．５の質量電荷比（ｍ／ｚ）を有するガバペンチン前駆イオンを含む。いくつかの実施形態において、１つ又は複数のイオンは、９１．２±０．５又は６７．２±０．５の質量電荷比（ｍ／ｚ）を有する１つ又は複数のフラグメントイオンを含む。いくつかの実施形態において、１つ又は複数のイオンは、２９７．１±０．５の質量電荷比（ｍ／ｚ）を有するエスリカルバマゼピン前駆イオンを含む。いくつかの実施形態において、１つ又は複数のイオンは、１９４±０．５又は１７９±０．５の質量電荷比（ｍ／ｚ）を有する１つ又は複数のフラグメントイオンを含む。いくつかの実施形態において、１つ又は複数のイオンは、２１９．８±０．５の質量電荷比（ｍ／ｚ）を有するプリミドン前駆イオンを含む。いくつかの実施形態において、１つ又は複数のイオンは、７９±０．５又は１３５．２±０．５の質量電荷比（ｍ／ｚ）を有する１つ又は複数のフラグメントイオンを含む。いくつかの実施形態において、１つ又は複数のイオンは、１６０．１±０．５の質量電荷比（ｍ／ｚ）を有するプレガバリン前駆イオンを含む。いくつかの実施形態において、１つ又は複数のイオンは、���５．２±０．５又は７７．２±０．５の質量電荷比（ｍ／ｚ）を有する１つ又は複数のフラグメントイオンを含む。いくつかの実施形態において、１つ又は複数のイオンは、２３７±０．５の質量電荷比（ｍ／ｚ）を有するカルバマゼピン前駆イオンを含む。いくつかの実施形態において、１つ又は複数のイオンは、１９４．１±０．５又は１７９±０．５の質量電荷比（ｍ／ｚ）を有する１つ又は複数のフラグメントイオンを含む。いくつかの実施形態において、１つ又は複数のイオンは、２３１±０．５の質量電荷比（ｍ／ｚ）を有するフェノバルビタール前駆イオンを含む。いくつかの実施形態において、１つ又は複数のイオンは、４４．２±０．５又は１８８．１±０．５の質量電荷比（ｍ／ｚ）を有する１つ又は複数のフラグメントイオンを含む。いくつかの実施形態において、１つ又は複数のイオンは、２３６．２±０．５の質量電荷比（ｍ／ｚ）を有するエポキシド前駆イオンを含む。いくつかの実施形態において、１つ又は複数のイオンは、１４１．２±０．５又は１１２．２±０．５の質量電荷比（ｍ／ｚ）を有する１つ又は複数のフラグメントイオンを含む。いくつかの実施形態において、１つ又は複数のイオンは、２１３．２±０．５の質量電荷比（ｍ／ｚ）を有するゾニサミド前駆イオンを含む。いくつかの実施形態において、１つ又は複数のイオンは、７７．２±０．５又は１０２．１±０．５の質量電荷比（ｍ／ｚ）を有する１つ又は複数のフラグメントイオンを含む。いくつかの実施形態において、１つ又は複数のイオンは、３７６．２±０．５の質量電荷比（ｍ／ｚ）を有するチアガビン前駆イオンを含む。いくつかの実施形態において、１つ又は複数のイオンは、１１１．１±０．５又は１４９．１±０．５の質量電荷比（ｍ／ｚ）を有する１つ又は複数のフラグメントイオンを含む。
いくつかの実施形態において、１つ又は複数のイオンは、２５３．１±０．５の質量電荷比（ｍ／ｚ）を有するフェニトイン前駆イオンを含む。いくつかの実施形態において、１つ又は複数のイオンは、１０４．２±０．５又は１８２．２±０．５の質量電荷比（ｍ／ｚ）を有する１つ又は複数のフラグメントイオンを含む。いくつかの実施形態において、１つ又は複数のイオンは、１７１．２±０．５の質量電荷比（ｍ／ｚ）を有するレベチラセタム前駆イオンを含む。いくつかの実施形態において、１つ又は複数のイオンは、１２６．２±０．５又は６９．２±０．５の質量電荷比（ｍ／ｚ）を有する１つ又は複数のフラグメントイオンを含む。いくつかの実施形態において、１つ又は複数のイオンは、１４３±０．５の質量電荷比（ｍ／ｚ）を有するバルプロ酸前駆イオンを含む。いくつかの実施形態において、１つ又は複数のイオンは、１４３±０．５の質量電荷比（ｍ／ｚ）を有する１つ又は複数のフラグメントイオンを含む。いくつかの実施形態において、１つ又は複数のイオンは、２３９±０．５の質量電荷比（ｍ／ｚ）を有するルフィナミド前駆イオンを含む。いくつかの実施形態において、１つ又は複数のイオンは、１２７．２±０．５又は２６１±０．５の質量電荷比（ｍ／ｚ）を有する１つ又は複数のフラグメントイオンを含む。いくつかの実施形態において、１つ又は複数のイオンは、２１９±０．５の質量電荷比（ｍ／ｚ）を有するプリミドン前駆イオンを含む。いくつかの実施形態において、１つ又は複数のイオンは、１２６±０．５又は１４１±０．５の質量電荷比（ｍ／ｚ）を有する１つ又は複数のフラグメントイオンを含む。いくつかの実施形態において、１つ又は複数のイオンは、３５０±０．５の質量電荷比（ｍ／ｚ）を有するトピラメートＤ１２前駆イオンを含む。いくつかの実施形態において、１つ又は複数のイオンは、７８．２±０．５の質量電荷比（ｍ／ｚ）を有する１つ又は複数のフラグメントイオンを含む。いくつかの実施形態において、１つ又は複数のイオンは、２５６±０．５の質量電荷比（ｍ／ｚ）を有するエポキシドＤ３前駆イオンを含む。いくつかの実施形態において、１つ又は複数のイオンは、７７±０．５の質量電荷比（ｍ／ｚ）を有する１つ又は複数のフラグメントイオンを含む。いくつかの実施形態において、１つ又は複数のイオンは、２５９±０．５の質量電荷比（ｍ／ｚ）を有するラモトリギン１３Ｃ３前駆イオンを含む。いくつかの実施形態において、１つ又は複数のイオンは、２１４±０．５の質量電荷比（ｍ／ｚ）を有する１つ又は複数のフラグメントイオンを含む。いくつかの実施形態において、１つ又は複数のイオンは、１７７．２±０．５の質量電荷比（ｍ／ｚ）を有するレベチラセタムＤ６前駆イオンを含む。いくつかの実施形態において、１つ又は複数のイオンは、１３２．２±０．５の質量電荷比（ｍ／ｚ）を有する１つ又は複数のフラグメントイオンを含む。
【００３７】
いくつかの実施形態において、被分析物は、免疫抑制薬である。いくつかの実施形態において、免疫抑制薬は、シクロスポリンＡ、シロリムス、タクロリムス又はエベロリムスである。いくつかの実施形態において、免疫抑制薬は、シクロスポリンＡ、シロリムス、タクロリムス及びエベロリムスからなる群から選択される。いくつかの実施形態において、免疫抑制薬を全血試料から抽出する。
【００３８】
いくつかの実施形態において、被分析物は、バルビツレートである。いくつかの実施形態において、バルビツレートは、フェノバルビタール、アモバルビタール、ブタルビタール、ペントバルビタール、セコバルビタール又はチオペンタールである。いくつかの実施形態において、バルビツレートは、フェノバルビタール、アモバルビタール、ブタルビタール、ペントバルビタール、セコバルビタール及びチオペンタールからなる群から選択される。いくつかの実施形態において、バルビツレートを全血試料から抽出する。
【００３９】
いくつかの実施形態において、１つ又は複数のイオンは、２３７．０±０．５の質量電荷比（ｍ／ｚ）を有するセコバルビタール前駆イオンを含む。いくつかの実施形態において、１つ又は複数のイオンは、４２．０±０．５の質量電荷比（ｍ／ｚ）を有する１つ又は複数のフラグメントイオンを含む。いくつかの実施形態において、１つ又は複数のイオンは、２２５．０±０．５の質量電荷比（ｍ／ｚ）を有するアンモバルビタール前駆イオンを含む。いくつかの実施形態において、１つ又は複数のイオンは、１８２．０±０．５の質量電荷比（ｍ／ｚ）を有する１つ又は複数のフラグメントイオンを含む。いくつかの実施形態において、１つ又は複数のイオンは、２２５．６±０．５の質量電荷比（ｍ／ｚ）を有するペントバルビタール前駆イオンを含む。いくつかの実施形態において、１つ又は複数のイオンは、４２．０±０．５の質量電荷比（ｍ／ｚ）を有する１つ又は複数のフラグメントイオンを含む。いくつかの実施形態において、１つ又は複数のイオンは、２４１．０±０．５の質量電荷比（ｍ／ｚ）を有するチオペンタール前駆イオンを含む。いくつかの実施形態において、１つ又は複数のイオンは、５７．９±０．５の質量電荷比（ｍ／ｚ）を有する１つ又は複数のフラグメントイオンを含む。いくつかの実施形態において、１つ又は複数のイオンは、２３１．０±０．５の質量電荷比（ｍ／ｚ）を有するフェノバルビタール前駆イオンを含む。いくつかの実施形態において、１つ又は複数のイオンは、４２．０±０．５の質量電荷比（ｍ／ｚ）を有する１つ又は複数のフラグメントイオンを含む。いくつかの実施形態において、１つ又は複数のイオンは、２２３．１±０．５の質量電荷比（ｍ／ｚ）を有するブタルビタール前駆イオンを含む。いくつかの実施形態において、１つ又は複数のイオンは、４２．１±０．５の質量電荷比（ｍ／ｚ）を有する１つ又は複数のフラグメントイオンを含む。
【００４０】
いくつかの実施形態において、被分析物は、タモキシフェンである。いくつかの実施形態において、被分析物は、タモキシフェンの代謝物である。いくつかの実施形態において、前記代謝物は、ノルエンドキシフェンである。いくつかの実施形態において、前記代謝物は、エンドキシフェン又はＮ−デスメチル−４−ヒドロキシタモキシフェンである。いくつかの実施形態において、前記代謝物は、４’−ヒドロキシタモキシフェンである。いくつかの実施形態において、前記代謝物は、４−ヒドロキシタモキシフェンである。いくつかの実施形態において、前記代謝物は、Ｎ−デスメチル−４’−ヒドロキシタモキシフェンである。いくつかの実施形態において、前記代謝物は、Ｎ−デスメチルタモキシフェンである。いくつかの実施形態において、前記代謝物は、ノルエンドキシフェン、エンドキシフェン、４’−ヒドロキシタモキシフェン、４−ヒドロキシタモキシフェン、Ｎ−デスメチル−４’−ヒドロキシタモキシフェン及びＮ−デスメチル−４’−ヒドロキシタモキシフェンからなる群から選択される。いくつかの実施形態において、タモキシフェンまたはその代謝物を全血試料から抽出する。
【００４１】
いくつかの実施形態において、１つ又は複数のイオンは、３７２．２±０．５の質量電荷比（ｍ／ｚ）を有するタモキシフェン前駆イオンを含む。いくつかの実施形態において、１つ又は複数のイオンは、７２．１４±０．５の質量電荷比（ｍ／ｚ）を有する１つ又は複数のフラグメントイオンを含む。いくつかの実施形態において、１つ又は複数のイオンは、３７４．２±０．５の質量電荷比（ｍ／ｚ）を有するエンドキシフェン前駆イオンを含む。いくつかの実施形態において、１つ又は複数のイオンは、５８．１±０．５の質量電荷比（ｍ／ｚ）を有する１つ又は複数のフラグメントイオンを含む。いくつかの実施形態において、１つ又は複数のイオンは、３８８．２±０．５の質量電荷比（ｍ／ｚ）を有する４−ヒドロキシタモキシフェン前駆イオンを含む。いくつかの実施形態において、１つ又は複数のイオンは、７２．１±０．５の質量電荷比（ｍ／ｚ）を有する１つ又は複数のフラグメントイオンを含む。いくつかの実施形態において、１つ又は複数のイオンは、３７４．２±０．５の質量電荷比（ｍ／ｚ）を有するＮ−デスメチル−４’−ヒドロキシタモキシフェン前駆イオンを含む。いくつかの実施形態において、１つ又は複数のイオンは、５８．１±０．５の質量電荷比（ｍ／ｚ）を有する１つ又は複数のフラグメントイオンを含む。いくつかの実施形態において、１つ又は複数のイオンは、３８８．２±０．５の質量電荷比（ｍ／ｚ）を有する４’−ヒドロキシタモキシフェン前駆イオンを含む。いくつかの実施形態において、１つ又は複数のイオンは、７２．１±０．５の質量電荷比（ｍ／ｚ）を有する１つ又は複数のフラグメントイオンを含む。いくつかの実施形態において、１つ又は複数のイオンは、３５８．２±０．５の質量電荷比（ｍ／ｚ）を有するＮ−デスメチル−４’−ヒドロキシタモキシフェン前駆イオンを含む。いくつかの実施形態において、１つ又は複数のイオンは、５８．１±０．５の質量電荷比（ｍ／ｚ）を有する１つ又は複数のフラグメントイオンを含む。
【００４２】
いくつかの実施形態において、被分析物は、抗腫瘍薬である。いくつかの実施形態において、被分析物は、アナストロゾールである。いくつかの実施形態において、被分析物は、レトロゾールである。いくつかの実施形態において、被分析物は、エクゼメスタンである。いくつかの実施形態において、被分析物は、アナストロゾール、レトロゾール及びエクゼメスタンからなる群から選択される。いくつかの実施形態において、抗腫瘍薬を全血試料から抽出する。
【００４３】
いくつかの実施形態において、被分析物は、テトラヒドロカンナビノール（ＴＨＣ）又はその代謝物である。いくつかの実施形態において、ＴＨＣを尿試料から抽出する。
【００４４】
いくつかの実施形態において、抽出された被分析物を加水分解する。いくつかの実施形態において、抽出の前に被分析物を加水分解する。
【００４５】
いくつかの実施形態において、衝突エネルギーは、約５〜６０Ｖの範囲内にある。いくつかの実施形態において、衝突エネルギーは、約５〜６０Ｖの範囲内にある。
【００４６】
別の態様において、本明細書で提供されるのは、患者における先天性副腎過形成の診断の方法である。いくつかの実施形態において、本明細書で提供される内因性ステロイドの定量の方法を先天性副腎過形成を診断するために用いる。
【００４７】
別の態様において、本明細書で提供されるのは、個体におけるＴＨＣの使用の検出又はモニタリングの方法である。別の態様において、本明細書で提供されるのは、個体におけるバルビツレートの使用の検出又はモニタリングの方法である。別の態様において、本明細書で提供されるのは、個体におけるアヘン剤の使用の検出又はモニタリングの方法である。別の態様において、本明細書で提供されるのは、個体におけるベンゾジアゼピンの使用の検出又はモニタリングの方法である。
【００４８】
別の態様において、本明細書で提供されるのは、個体における抗てんかん薬の使用の検出又はモニタリングの方法である。別の態様において、本明細書で提供されるのは、個体における抗てんかん薬の有効性をモニタリングする方法である。
【００４９】
別の態様において、本明細書で提供されるのは、個体におけるタモキシフェンの使用の検出又はモニタリングの方法である。別の態様において、本明細書で提供されるのは、個体におけるタモキシフェンの有効性をモニタリングする方法である。
【００５０】
別の態様において、本明細書に示す特定の方法は、高分解能／高精度質量分析を利用して、試料中の被分析物の量を決定する。高精度／高分解能質量分析を利用するいくつかの実施形態において、方法は、（ａ）イオンを発生させるのに適する条件下で試料からの被分析物をイオン化源にかけること（イオンは質量分析により検出できるものである）、および（ｂ）高分解能／高精度質量分析により１つ又は複数のイオンの量を決定することを含む。これらの実施形態において、ステップ（ｂ）で決定された１つ又は複数のイオンの量を試料中の被分析物の量に関連付ける。いくつかの実施形態において、高分解能／高精度質量分析を１０，０００のＦＷＨＭ及び５０ｐｐｍの質量精度で行う。いくつかの実施形態において、高分解能／高精度質量分析を高分解能／高精度飛行時間（ＴＯＦ）型質量分析計を用いて行う。いくつかの実施形態において、イオン化条件は、酸性条件下での被分析物のイオン化を含む。いくつかの関連実施形態において、酸性条件は、イオン化の前のギ酸による前記試料の処理を含む。
【００５１】
本明細書で述べる方法のいずれかにおいて、試料は、生物学的試料を含み得る。いくつかの実施形態において、生物学的試料は、尿、血漿又は血清などの生物学的流体を含み得る。いくつかの実施形態において、生物学的試料は、ヒト、例えば、成人男性若しくは女性、又は若年男性若しくは女性からの試料を含み得る。ここで、若年は、１８歳未満、１５歳未満、１２歳未満、又は１０歳未満である。ヒト試料は、病状若しくは状態を診断若しくはモニターするために、又は病状若しくは状態の処置の治療有効性をモニターするために分析することができる。いくつかの関連実施形態において、本明細書で述べる方法は、ヒトから採取した場合の生物学的試料中の被分析物の量を決定するために用いることができる。
【００５２】
タンデム質量分析を利用する実施形態において、タンデム質量分析は、例えば、多重反応モニタリング、前駆イオンスキャニング又はプロダクトイオンスキャニングを含む、当技術分野で公知の方法により実施することができる。
【００５３】
いくつかの実施形態において、タンデム質量分析は、前駆イオンを１つ又は複数のフラグメントイオンにフラグメント化することを含む。２つ以上のフラグメントイオンの量を決定する実施形態において、測定されたイオン量を試料中の被分析物の量に関連付けるために、該量を当技術分野で公知の数学的操作にかけることができる。例えば、試料中の被分析物の量を決定することの一部として、２つ以上のフラグメントイオンの量を合計することができる。
【００５４】
いくつかの実施形態において、高分解能／高精度質量分析は、約１０，０００以上、例えば約１５，０００以上など、例えば約２０，０００以上など、例えば約２５，０００以上などの分解能（ＦＷＨＭ）で実施する。いくつかの実施形態において、高分解能／高精度質量分析は、約５０ｐｐｍ以下、例えば約２０ｐｐｍ以下など、例えば約１０ｐｐｍ以下など、例えば約５ｐｐｍ以下など、例えば約３ｐｐｍ以下などの精度で実施する。いくつかの実施形態において、高分解能／高精度質量分析は、約１０，０００以上の分解能（ＦＷＨＭ）及び約５０ｐｐｍ以下の精度で実施する。いくつかの実施形態において、分解能は、約１５，０００以上であり、精度は、約２０ｐｐｍ以下である。いくつかの実施形態において、分解能は、約２０，０００以上であり、精度は、約１０ｐｐｍ以下であり、好ましくは、分解能は、約２０，０００以上であり、精度は、約５ｐｐｍ以下、例えば約３ｐｐｍ以下などである。
【００５５】
いくつかの実施形態において、高分解能／高精度質量分析は、オービトラップ型質量分析計、飛行時間（ＴＯＦ）型質量分析計又はフーリエ変換イオンサイクロトロン共鳴型質量分析計（時としてフーリエ変換質量分析計として公知である）を用いて実施することができる。
【００５６】
質量分析（タンデム又は高分解能／高精度）は、ポジティブイオンモードで実施することができる。或いは、質量分析は、ネガティブイオンモードで実施することができる。例えば、大気圧化学イオン化（ＡＰＣＩ）又はエレクトロスプレーイオン化（ＥＳＩ）を含む、様々なイオン化源を用いて被分析物をイオン化することができる。
【００５７】
本明細書で述べる方法のいずれかにおいて、別個に検出できる内部標準を試料に加えることができ、その量も試料中で決定される。別個に検出できる内部標準を利用する実施形態において、試料中に存在する対象の被分析物及び内部標準の両方のすべて又は一部がイオン化されて、質量分析計で検出できる複数のイオンを生成し、それぞれから生成した１つ又は複数のイオンが質量分析により検出される。これらの実施形態において、対象の被分析物から生成したイオンの存在又は量は、検出された内部標準イオンの量との比較により試料中の対象の被分析物の量の存在に関連付けることができる。
【００５８】
或いは、試料中の被分析物の量は、１つ又は複数の外部参照標準との比較により決定することができる。具体例としての外部参照標準は、ヒト若しくは非ヒト被分析物、合成被分析物類似体又はその同位体標識変異体を添加したブランク血漿又は血清などである。
【００５９】
上述の本発明の概要は、非限定的なものであり、本発明の他の特徴及び利点は、本発明の以下の詳細な説明及び特許請求の範囲から明らかである。
【図面の簡単な説明】
【００６０】
【図１】質量分析により分析した１４種のステロイドのクロマトグラムを示す図である。
【図２】本アッセイにより定量した、正常成人男性におけるコルチゾールの正常レベルを示す図である。
【図３】本アッセイにより定量した、正常成人男性におけるコルチゾンの正常レベルを示す図である。
【図４】本アッセイにより定量した、正常成人男性におけるテストステロンの正常レベルを示す図である。
【図５】本アッセイにより定量した、正常成人男性におけるアンドロステンジオンの正常レベルを示す図である。
【図６】本アッセイにより定量した、正常成人女性におけるプロゲステロンの正常レベルを示す図である。
【図７】本アッセイにより定量した、正常成人女性におけるコルチゾールの正常レベルを示す図である。
【図８】本アッセイにより定量した、正常成人女性におけるコルチゾンの正常レベルを示す図である。
【図９】本アッセイにより定量した、正常成人女性におけるアンドロステンジオンの正常レベルを示す図である。
【図１０】本アッセイにより定量した、正常成人女性における１７−ＯＨプロゲステロンの正常レベルを示す図である。
【図１１】本アッセイにより定量した、小児におけるコルチゾールのレベルを示す図である。
【図１２】本アッセイにより定量した、小児におけるコルチゾンのレベルを示す図である。
【図１３】本アッセイにより定量した、小児におけるプロゲステロンのレベルを示す図である。
【図１４】本アッセイにより定量した、小児におけるアンドロステンジオンのレベルを示す図である。
【図１５】本アッセイにより定量した、小児におけるテストステロンのレベルを示す図である。
【図１６】本アッセイにより定量した、小児における２１−デオキシコルチゾールのレベルを示す図である。
【図１７】本アッセイにより定量した、小児における１７−ＯＨプロゲステロンのレベルを示す図である。
【図１８】（図１８−１および図１８−２）５０〜１０，０００ｎｇ／ｄＬのテストステロンの標準直線性を示す図である。
【図１９】（図１９−１および図１９−２）タモキシフェン及びその代謝物のクロマトグラムを示す図である。
【図２０】レトロゾール、エキセメスタン及びアナストロゾールのクロマトグラムを示す図である。
【図２１】（図２１−１および図２１−２）アヘン剤（オキシモルフォン、ヒドロモルフォン及びコデイン）並びに対応する内部標準の例示的クロマトグラムを示す図である。
【図２２】（図２２−１および図２２−２）アヘン剤（ノルオキシコドン、オキシコドン及びノルヒドロコドン）並びに対応する内部標準の例示的クロマトグラムを示す図である。
【図２３】（図２３−１および図２３−２）アヘン剤（モルヒネ、ヒドロコドン及びノルフェンタニル）並びに対応する内部標準の例示的クロマトグラムを示す図である。
【図２４】アヘン剤（フェンタニル）及び対応する内部標準の例示的クロマトグラムを示す図である。
【図２５】グルクロニダーゼ加水分解により２０μＬ  ＭＩＴＲＡ（登録商標）チップを用いて患者尿から得られたモルヒネデータを示す図である。
【図２６】グルクロニダーゼ加水分解により２０μＬ  ＭＩＴＲＡ（登録商標）チップを用いて患者尿から得られたコデインデータを示す図である。
【図２７】グルクロニダーゼ加水分解により２０μＬ  ＭＩＴＲＡ（登録商標）チップを用いて患者尿から得られたヒドロモルフォンデータを示す図である。
【図２８】グルクロニダーゼ加水分解により２０μＬ  ＭＩＴＲＡ（登録商標）チップを用いて患者尿から得られたオキシコドンデータを示す図である。
【図２９】５０μＬ  ＭＩＴＲＡ（登録商標）チップを用いて患者唾液から得られたオキシコドンデータを示す図である。
【図３０】ブプレノルフィンのヘマトクリット試験の結果を示す図である。
【図３１】ノルフェンタニルのヘマトクリット試験の結果を示す図である。
【図３２】バルビツレート（セコバルビタール、アンモバルビタール）を添加した陰性尿の結果を示す図である。
【図３３】バルビツレート（ペントバルビタール、チオペンタール）を添加した陰性尿の結果を示す図である。
【図３４】フェノバルビタールについて定量した様々な患者試料の結果を示す図である。
【図３５】フェノバルビタールについて定量した様々な患者試料の結果を示す図である。
【図３６】ブタルビタールについて定量した様々な患者試料の結果を示す図である。
【図３７】ブタルビタールについて定量した様々な患者試料の結果を示す図である。
【図３８】ブタルビタールについて定量した様々な患者試料の結果を示す図である。
【図３９】２０μＬチップ及びグルクロニダーゼ加水分解を用いて患者試料中のＴＨＣカルボキシ代謝物分析の結果を示す図である。
【図４０】ガバペンチン及びルフィナミドのヘマトクリット試験の結果を示す図である。
【図４１】２５−ヒドロキシビタミンＤの分析のクロマトグラムを示す図である。
【図４２】２５−ヒドロキシビタミンＤ２の分析の較正曲線を示す図である。
【図４３】２５−ヒドロキシビタミンＤ３の分析の較正曲線を示す図である。
【発明を実施するための形態】
【００６１】
本明細書で用いる場合、特に示さない限り、単数形「ａ」、「ａｎ」及び「ｔｈｅ」は、複数の指示対象を含む。したがって、例えば、「ａ  ｐｒｏｔｅｉｎ」への言及は、複数のタンパク質分子を含む。
【００６２】
本明細書で用いる場合、「精製」、「精製する」及び「濃縮する」という用語は、対象の被分析物（単数又は複数）以外のすべての物質を試料から除去することを意味しない。それよりも、これらの用語は、対象の被分析物の検出を妨害する可能性がある試料中の他の成分と比較して対象の１つ又は複数の被分析物の量を高くする手順を意味する。様々な手段による試料の精製は、１つ又は複数の妨害物質、例えば、質量分析による選択される親又は娘イオンの検出を妨害する可能性がある又は妨害しない可能性がある１つ又は複数の物質の相対的な減少を可能にする。この用語を用いるときの相対的な減少は、精製すべき材料中に対象の被分析物とともに存在する物質が精製により完全に除去されることを必要としない。
【００６３】
本明細書で用いる場合、「免疫精製」又は「免疫精製する」という用語は、対象の１つ又は複数の被分析物を濃縮するためにポリクローナル又はモノクローナル抗体を含む抗体を利用する精製手順を意味する。免疫精製は、当技術分野で周知の免疫精製法のいずれかを用いて実施することができる。しばしば免疫精製手順は、固体担体、例えば、カラム、ウエル、チューブ、ゲル、カプセル、粒子又は同類のものに結合した、コンジュゲートした又は別の状態で結合した抗体を利用するものである。免疫精製は、本明細書で用いる場合、当技術分野でしばしば免疫沈降と呼ばれる手順、並びに当技術分野でしばしばアフィニティークロマトグラフィー又は免疫アフィニティークロマトグラフィーと呼ばれる手順を制限なしに含む。
【００６４】
本明細書で用いる場合、「免疫粒子」という用語は、その表面（粒子上及び／又は内）に結合した、コンジュゲートした又は別の状態で結合した抗体を有するカプセル、ビーズ、ゲル粒子又は同類のものを意味する。特定の好ましい実施形態において、免疫粒子は、セファロース又はアガロースビーズである。好ましい代替実施形態において、免疫粒子は、ガラス、プラスチック若しくはシリカビーズ又はシリカゲルを含む。
【００６５】
本明細書で用いる場合、「試料」という用語は、対象の被分析物を含み得る試料を意味する。本明細書で用いる場合、「体液」という用語は、個人の身体から分離することができる流体を意味する。例えば、「体液」は、血液、血漿、血清、胆汁、唾液、尿、涙液、汗及び同類のものを含み得る。好ましい実施形態において、試料は、ヒトからの体液試料、好ましくは血漿又は血清を含む。
【００６６】
本明細書で用いる場合、「固相抽出」又は「ＳＰＥ」という用語は、溶液が通過又は周りに流れる固体（すなわち、固相）に対する溶液（すなわち、移動相）中に溶解又は懸濁した成分の親和性の結果として化学物質の混合物を成分に分離する方法を意味する。場合によっては、移動相が固相を通過又はその周りに流れるとき、移動相の望ましくない成分が固相により保持されて、移動相中の被分析物の精製がもたらされる可能性がある。他の場合には、被分析物が固相により保持されて、移動相の望ましくない成分が固相を通過又はその周りに流れることが可能になり得る。これらの場合、さらなる処理又は分析のために次に第２の移動相を用いて、保持された被分析物を固相から溶出する。ＴＦＬＣを含むＳＰＥは、単一又は混合モード機構により機能し得る。混合モード機構は、同じカラムにおいてイオン交換と疎水性保持を利用するものであり、例えば、混合モードＳＰＥカラムの固相は、強い陰イオン交換及び疎水性保持を示し得る、又は強い陽イオン交換及び疎水性保持を示し得る。
【００６７】
一般的に、被分析物に対するＳＰＥカラム充填物質の親和性は、１つ又は複数の化学的相互作用又は免疫親和性相互作用などの様々な機構のいずれかに起因し得る。いくつかの実施形態において、被分析物のＳＰＥは、免疫親和性カラム充填物質を用いずに行われる。すなわち、いくつかの実施形態において、被分析物は、免疫親和性カラムでないＳＰＥカラムにより試料から精製される。
【００６８】
本明細書で用いる場合、「クロマトグラフィー」という用語は、液体又は気体により運ばれる化学物質の混合物が、静止液体又は固相の周り又は上に流れるときに化学物質の差別的分配の結果として成分に分離される方法を意味する。
【００６９】
本明細書で用いる場合、「液体クロマトグラフィー」又は「ＬＣ」という用語は、流体が微細な物質のカラム又は毛細管通路に均一に浸透するときに流体溶液の１つ又は複数の成分が選択的に遅延する方法を意味する。遅延は、１つ又は複数の固定相とバルク流体（すなわち、移動相）との間のこの流体が固定相（単数又は複数）に対して移動するときの混合物の成分の分配に起因する。「液体クロマトグラフィー」の例としては、逆相液体クロマトグラフィー（ＲＰＬＣ）、高速液体クロマトグラフィー（ＨＰＬＣ）及び乱流液体クロマトグラフィー（ＴＦＬＣ）（時に高乱流液体クロマトグラフィー（ＨＴＬＣ）又は高処理液体クロマトグラフィーとして公知である）などがある。
【００７０】
本明細書で用いる場合、「高速液体クロマトグラフィー」又は「ＨＰＬＣ」（時に「高圧液体クロマトグラフィー」として公知である）という用語は、移動相を加圧下で固定相、一般的に密に充填されたカラムに強制的に通すことによって分離の程度を増大させる液体クロマトグラフィーを意味する。
【００７１】
本明細書で用いる場合、「乱流液体クロマトグラフィー」又は「ＴＦＬＣ」（時に高乱流液体クロマトグラフィー又は高処理液体クロマトグラフィーとして公知である）という用語は、カラム充填剤に通すアッセイされる物質の乱流を分離を行う基盤として利用するクロマトグラフィーの形態を意味する。ＴＦＬＣは、質量分析による分析の前に２つの無名の薬物を含む試料の調製に適用された。例えば、Ｚｉｍｍｅｒら、Ｊ  Ｃｈｒｏｍａｔｏｇｒ、Ａ８５４巻、２３〜３５頁（１９９９年）を参照のこと。ＴＦＬＣをさらに説明している、米国特許第５，９６８，３６７号、第５，９１９，３６８号、第５，７９５，４６９号及び第５，７７２，８７４号も参照のこと。当業者は、「乱流」を理解している。流体がゆっくりと滑らかに流れている場合、その流れは、「層流」と呼ばれる。例えば、ＨＰＬＣカラム中を低流速で移動している流体は、層流である。層流において、流体の粒子の運動は規則的であり、粒子が一般的に実質的に直線的に移動する。より速い速度では、水の慣性が流体の摩擦力に打ち勝ち、乱流が生ずる。不規則な境界と接触していない流体は、それを「追い越し」、摩擦により遅くなるか、又は平坦でない表面により偏向させられる。流体が乱れて流れている場合、それは、流れが層流である場合より大きい「抵抗」により渦状に旋回して（又は渦巻き状で）流れる。流体の流れが層流又は乱流である場合を判断するうえで助けとするための多くの参考文献が入手可能である（例えば、Ｔｕｒｂｕｌｅｎｔ  Ｆｌｏｗ  Ａｎａｌｙｓｉｓ：Ｍｅａｓｕｒｅｍｅｎｔ  ａｎｄ  Ｐｒｅｄｉｃｔｉｏｎ、Ｐ．Ｓ．Ｂｅｒｎａｒｄ  ＆  Ｊ．Ｍ．Ｗａｌｌａｃｅ、Ｊｏｈｎ  Ｗｉｌｅｙ  ＆  Ｓｏｎｓ，Ｉｎｃ．（２０００年）、Ａｎ  Ｉｎｔｒｏｄｕｃｔｉｏｎ  ｔｏ  Ｔｕｒｂｕｌｅｎｔ  Ｆｌｏｗ、Ｊｅａｎ  Ｍａｔｈｉｅｕ  ＆  Ｊｕｌｉａｎ  Ｓｃｏｔｔ、Ｃａｍｂｒｉｄｇｅ  Ｕｎｉｖｅｒｓｉｔｙ  Ｐｒｅｓｓ（２００１年））。
【００７２】
本明細書で用いる場合、「ガスクロマトグラフィー」又は「ＧＣ」という用語は、試料混合物を蒸発させ、液体又は粒子状固体からなる固定相を含むカラム中を移動するキャリヤーガス（窒素又はヘリウムとしての）の流れに注入し、固定相に対する化合物の親和性に従ってその成分化合物に分離するクロマトグラフィーを意味する。
【００７３】
本明細書で用いる場合、「大粒子カラム」又は「抽出カラム」という用語は、約５０μｍより大きい平均粒子直径を含むクロマトグラフィーカラムを意味する。この文脈において用いる場合、「約」という用語は、±１０％を意味する。
【００７４】
本明細書で用いる場合、「分析カラム」という用語は、被分析物の存在又は量の決定を可能にするのに十分なカラムから溶出する試料中の物質の分離を達成するのに十分なクロマトグラフ段を有するクロマトグラフィーカラムを意味する。そのようなカラムは、さらなる分析のための精製試料を得るために保持されない物質から保持される物質を分離又は抽出するという一般的な目的を有する「抽出カラム」としばしば区別される。この文脈において用いる場合、「約」という用語は、±１０％を意味する。好ましい実施形態において、分析カラムは、直径が約５μｍの粒子を含む。
【００７５】
本明細書で用いる場合、「オンライン」及び「インライン」という用語は、例えば、「オンライン自動式〔on-line automated fashion〕」又は「オンライン抽出」に用いられているように、操作者の介入の必要なしに実施される手順を意味する。対照的に、「オフライン」という用語は、本明細書で用いる場合、操作者の手作業による介入を必要とする手順を意味する。したがって、試料を沈殿に供し、次いで、上清を手作業でオートサンプラーに装填する場合、沈殿及び装填ステップは、その後のステップからオフラインである。方法の様々な実施形態において、１つ又は複数のステップをオンライン自動式で実施することができる。
【００７６】
本明細書で用いる場合、「質量分析」又は「ＭＳ」という用語は、化合物をそれらの質量により同定するための分析技術を意味する。ＭＳは、イオンの質量電荷比又は「ｍ／ｚ」に基づいてイオンをフィルタリングし、検出し、測定する方法を意味する。ＭＳ技術は、一般的に（１）化合物をイオン化して、荷電化合物を生成することと、（２）荷電化合物の分子量を検出し、質量電荷比を計算することとを含む。化合物は、適切な手段によりイオン化し、検出することができる。「質量分析計」は、一般的にイオン化装置、質量分析計及びイオン検出器を含む。一般的に、対象の１つ又は複数の分子がイオン化され、その後イオンが質量分析装置に導入され、そこでは、磁界と電界の組み合わせにより、イオンが質量（「ｍ」）及び電荷（「ｚ」）に依存する空間内の経路をたどる。例えば、「表面からの質量分析〔Mass Spectrometry From Surfaces〕」と題する米国特許第６，２０４，５００号、「タンデム質量分析の方法及び装置〔Methods and Apparatus for Tandem Mass Spectrometry〕」と題する第６，１０７，６２３号、「質量分析に基づくＤＮＡ診断〔DNA Diagnostics Based On Mass Spectrometry〕」と題する第６，２６８，１４４号、「被分析物の脱離及び検出のための表面増強光感受性結合及び放出〔Surface-Enhanced Photolabile Attachment And Release For Desoption And Detection Of Analytes〕」と題する第６，１２４，１３７号、Ｗｒｉｇｈｔら、Ｐｒｏｓｔａｔｅ  Ｃａｎｃｅｒ  ａｎｄ  Ｐｒｏｓｔａｔｉｃ  Ｄｉｓｅａｓｅｓ、１９９９年、２巻、２６４〜７６頁並びにＭｅｒｃｈａｎｔ及びＷｅｉｎｂｅｒｇｅｒ、Ｅｌｅｃｔｒｏｐｈｏｒｅｓｉｓ、２０００年、２１巻、１１６４〜６７頁を参照のこと。
【００７７】
本明細書で用いる場合、「高分解能／高精度質量分析」は、固有の化学イオン〔unique chemical ion〕を確認するのに十分な精度及び正確度で荷電種の質量電荷比を測定することができる質量分析計を用いて実施される質量分析を意味する。固有の化学イオンの確認は、当該イオンの個々の同位体ピークが容易に識別できる場合のイオンについて可能である。固有の化学イオンを確認するために必要な特定の分解能及び質量正確度は、イオンの質量及び電荷状態によって異なる。
【００７８】
本明細書で用いる場合、「分解能」又は「分解能（ＦＷＨＭ）」（当技術分野で「ｍ／Δｍ５０％」としても公知である）は、最大高さの５０％における質量ピークの幅（半値全幅、「ＦＷＨＭ」）で割った観測質量電荷比を意味する。分解能の差の効果を、約１０９３のｍ／ｚを有するイオンの理論的な質量スペクトルを示す図１Ａ〜Ｃに示す。図１Ａに約３０００の分解能（通常の四重極型質量分析計の一般的な操作条件）を有する質量分析計による理論的質量スペクトルを示す。図１Ａにおいてわかるように、個々の同位体ピークは識別できない。比較すると、図１Ｂに約１０，０００の分解能を有する質量分析計による理論的質量スペクトルを示すが、個々の同位体ピークが明確に識別できる。図１Ｃに約１２，０００の分解能を有する質量分析計による理論的質量スペクトルを示す。この最高の分解能では、個々の同位体ピークは、ベースラインからの１％未満の寄与を含む。
【００７９】
本明細書で用いる場合、質量分析に関する「固有の化学物質イオン」は、単一原子構成を有する単一イオンを意味する。単一イオンは、１価又は多価であり得る。
【００８０】
本明細書で用いる場合、質量分析に関する「正確度」（又は「質量正確度」）は、検討されるイオンの真のｍ／ｚからの機器の応答の生じ得る偏りを意味する。正確度は、一般的に百万分の１（ｐｐｍ）で表される。質量の正確度の差の効果を、１０９３．５２０９４のｍ／ｚの理論的ピークについて検出されるｍ／ｚと実際のｍ／ｚとの生じ得る差の境界を示す図２Ａ〜Ｄに示す。図２Ａに１２０ｐｐｍの正確度での検出されるｍ／ｚの生じ得る範囲を示す。対照的に図２Ｂに５０ｐｐｍの正確度での検出されるｍ／ｚの生じ得る範囲を示す。図２Ｃ及び２Ｄに２０ｐｐｍ及び１０ｐｐｍの正確度での検出されるｍ／ｚのより狭い生じ得る範囲を示す。
【００８１】
本発明の高分解能／高精度質量分析法は、１０，０００、１５，０００、２０，０００、２５，０００、５０，０００、１００，０００又はさらにより大きい値より大きいＦＷＨＭで質量分析を行うことができる機器で実施することができる。同様に、本発明の方法は、５０ｐｐｍ、２０ｐｐｍ、１５ｐｐｍ、１０ｐｐｍ、５ｐｐｍ、３ｐｐｍ未満又はさらにより小さい値の正確度で質量分析を行うことができる機器で実施することができる。これらの性能特性の能力がある機器は、特定のオービトラップ質量分析計、飛行時間（「ＴＯＦ」）型質量分析計又はフーリエ変換イオンサイクロトロン共鳴質量分析計を組み込み得る。好ましい実施形態において、方法は、オービトラップ質量分析計又はＴＯＦ型質量分析計を含む機器により実施される。
【００８２】
「オービトラップ」という用語は、たる様の外側電極と同軸の内側電極からなるイオントラップを記述する。イオンは、電極間の電界に接線方向に注入され、イオンと電極との間の静電相互作用がイオンが同軸内側電極を周回するときの遠心力と釣り合うためにトラップされる。イオンが同軸内側電極を周回するとき、トラップされたイオンの軌道がイオンの質量電荷比に応じた調和振動数で中心電極の軸に沿って振動する。軌道振動数の検出により、オービトラップを高精度（１〜２ｐｐｍと低い）及び高分解能（ＦＷＨＭ）（最大約２００，０００）を有する質量分析計として用いることが可能になる。オービトラップに基づく質量分析計は、参照によりその全体として本明細書に組み込まれる、米国特許第６，９９５，３６４号に詳細に記載されている。オービトラップ分析計の使用は、様々な被分析物の定性及び定量分析について報告された。例えば、米国特許出願公開第２００８／０１１８９３２号（２００７年１１月９日出願）、Ｂｒｅｄｅｈｏｅｆｔら、Ｒａｐｉｄ  Ｃｏｍｍｕｎ．Ｍａｓｓ  Ｓｐｅｃｔｒｏｍ．、２００８年、２２巻、４７７〜４８５頁、Ｌｅ  Ｂｒｅｔｏｎら、Ｒａｐｉｄ  Ｃｏｍｍｕｎ．Ｍａｓｓ  Ｓｐｅｃｔｒｏｍ．、２００８年、２２巻、３１３０〜３６頁、Ｔｈｅｖｉｓら、Ｍａｓｓ  Ｓｐｅｃｔｒｏｍ．Ｒｅｖｉｅｗｓ、２００８年、２７巻、３５〜５０頁、Ｔｈｏｍａｓら、Ｊ．Ｍａｓｓ  Ｓｐｅｃｔｒｏｍ．、２００８年、４３巻、９０８〜１５頁、Ｓｃｈｅｎｋら、ＢＭＣ  Ｍｅｄｉｃａｌ  Ｇｅｎｏｍｉｃｓ、２００８年、１巻、４１頁及びＯｌｓｅｎら、Ｎａｔｕｒｅ  Ｍｅｔｈｏｄｓ、２００７年、４巻、７０９〜１２頁を参照のこと。
【００８３】
本明細書で用いる場合、「ネガティブイオンモードで動作する」という用語は、負イオンを発生させ、検出する質量分析法を意味する。「ポジティブイオンモードで動作する」という用語は、本明細書で用いる場合、正イオンを発生させ、検出する質量分析法を意味する。好ましい実施形態において、質量分析をポジティブイオンモードで行う。
【００８４】
本明細書で用いる場合、「イオン化」又は「イオン化する」という用語は、１以上の電子単位に等しい正味の電荷を有する被分析物イオンを発生させる方法を意味する。負イオンは、１以上の電子単位の正味の負電荷を有するものであり、一方、正イオンは、１以上の電子単位の正味の正電荷を有するものである。
【００８５】
本明細書で用いる場合、「電子イオン化」又は「ＥＩ」という用語は、気相又は蒸気相中の対象の被分析物が電子の流れと相互作用する方法を意味する。電子と被分析物との衝突が、次に質量分析技術にかけることができる被分析物イオンを生成する。
【００８６】
本明細書で用いる場合、「化学イオン化」又は「ＣＩ」という用語は、試薬ガス（例えば、アンモニア）が電子衝撃にかけられ、試薬ガスイオンと被分析物分子との相互作用により被分析物イオンが生じる方法を意味する。
【００８７】
本明細書で用いる場合、「高速原子衝撃」又は「ＦＡＢ」という用語は、高エネルギー原子（しばしばＸｅ又はＡｒ）のビームが不揮発性試料に衝突し、試料に含まれている分子を脱離させ、イオン化する方法を意味する。試験試料をグリセロール、チオグリセロール、ｍ−ニトロベンジルアルコール、１８−クラウン−６クラウンエーテル、２−ニトロフェニルオクチルエーテル、スルホラン、ジエタノールアミン及びトリエタノールアミンなどの粘性液体マトリックスに溶解する。化合物又は試料に対する適切なマトリックスの選択は、経験的過程である。
【００８８】
本明細書で用いる場合、「マトリックス支援レーザー脱離イオン化」又は「ＭＡＬＤＩ」という用語は、不揮発性試料を、光イオン化、プロトン化、脱プロトン化及びクラスタ崩壊を含む様々なイオン化経路により試料中の被分析物を脱離させ、イオン化するレーザー照射にさらす方法を意味する。ＭＡＬＤＩのために、試料を、被分析物分子の脱離を促進するエネルギー吸収マトリックスと混合する。
【００８９】
本明細書で用いる場合、「表面エンハンス型レーザー脱離イオン化」又は「ＳＥＬＤＩ」という用語は、不揮発性試料を、光イオン化、プロトン化、脱プロトン化及びクラスタ崩壊を含む様々なイオン化経路により試料中の被分析物を脱離させ、イオン化するレーザー照射にさらす他の方法を意味する。ＳＥＬＤＩのために、試料を一般的に、対象の１つ又は複数の被分析物を優先的に保持する表面に結合させる。ＭＡＬＤＩと同様に、この方法は、イオン化を促進するエネルギー吸収物質も用いることができる。
【００９０】
本明細書で用いる場合、「エレクトロスプレーイオン化」又は「ＥＳＩ」という用語は、末端に高い正又は負電位を印加した短い毛細管に溶液を通す方法を意味する。管の末端に到達した溶液は、蒸発して（霧化）、溶媒蒸気中溶液の非常に小さな液滴のジェット又は噴霧体になる。この液滴の噴霧体は、蒸発チャンバー中を流れる。液滴がより小さくなるとき、同符号電荷の間の自然反発力によってイオン並びに中性分子が放出されるような時点まで表面電荷密度が増加する。
【００９１】
本明細書で用いる場合、「大気圧化学イオン化」又は「ＡＰＣＩ」という用語は、ＥＳＩと同様な質量分析法を意味するが、ＡＰＣＩは、大気圧のプラズマ内で起こるイオン−分子反応によりイオンを生成する。プラズマは、噴霧毛細管と対極との間の放電により維持される。次いで、イオンは、一般的に一組の差動排気スキマーステージを用いることにより質量分析計内に抽出される。向流の乾燥し、予熱されたＮ２ガスを用いて、溶媒の除去を改善することができる。ＡＰＣＩにおける気相イオン化は、極性がより低い種を分析するのにＥＳＩより有効であり得る。
【００９２】
「大気圧光イオン化」又は「ＡＰＰＩ」という用語は、本明細書で用いる場合、分子Ｍのイオン化の機構が分子イオンＭ＋を生成する光子の吸収及び電子の放出である質量分析の形態を意味する。光子エネルギーが一般的にイオン化電位の直上であるため、分子イオンは解離を受けにくい。多くの場合に、クロマトグラフィーの必要なしに試料を分析することが可能であり、それによりかなりの時間と費用の節約となり得る。水蒸気又はプロトン性溶媒の存在下では、分子イオンは、Ｈを引き抜いてＭＨ＋を形成し得る。Ｍが高いプロトン親和性を有する場合、これが起こる傾向がある。Ｍ＋とＭＨ＋の合計が一定であるため、これは、定量の正確度に影響を与えない。プロトン性溶媒中の薬物化合物は、通常ＭＨ＋として観測されるが、ナフタレン又はテストステロンなどの非極性化合物は、通常Ｍ＋を形成する。例えば、Ｒｏｂｂら、Ａｎａｌ．Ｃｈｅｍ．、２０００年、７２巻（１５号）、３６５３〜３６５９頁を参照のこと。
【００９３】
本明細書で用いる場合、「誘導結合プラズマ」又は「ＩＣＰ」という用語は、大部分の元素が原子化され、イオン化されるような十分に高い温度で試料が部分的にイオン化されたガスと相互作用する方法を意味する。
【００９４】
本明細書で用いる場合、「電界脱離」という用語は、不揮発性試験試料をイオン化表面上にのせ、強い電界を用いて被分析物イオンを発生させる方法を意味する。
【００９５】
本明細書で用いる場合、「脱離」という用語は、表面からの被分析物の除去及び／又は被分析物の気相への侵入を意味する。レーザー脱離熱脱離は、被分析物を含む試料をレーザーパルスにより気相中に熱的に脱離させる技術である。レーザーは、金属基部を備えた特製の９６ウエルプレートの裏面を照射する。レーザーパルスが底部を加熱し、熱が試料を気相に移行させる。気相試料が次に質量分析計に引き込まれる。
【００９６】
本明細書で用いる場合、「選択イオンモニタリング」という用語は、比較的狭い質量範囲内、一般的に約１質量単位の範囲内のイオンのみが検出される質量分析機器の検出モードである。
【００９７】
本明細書で用いる場合、「選択反応モニタリング」として時として公知である「多重反応モード」は、前駆イオン及び１つ又は複数のフラグメントイオンが選択的に検出される質量分析機器の検出モードである。
【００９８】
本明細書で用いる場合、「定量化下限」、「定量下限」又は「ＬＬＯＱ」という用語は、測定が定量的に意味があるようになるポイントを意味する。このＬＯＱにおける被分析物の応答は、特定可能であり、個別的であり、２０％未満の相対標準偏差（ＲＳＤ％）及び８５％〜１１５％の正確度で再現性がある。
【００９９】
本明細書で用いる場合、「検出限界」又は「ＬＯＤ」という用語は、測定値がそれに関連する不確実さより大きいポイントである。ＬＯＤは、値がその測定に関連する不確実さを超えるポイントであり、ゼロ濃度における平均値のＲＳＤの３倍と定義される。
【０１００】
本明細書で用いる場合、体液試料中の被分析物の「量」は、一般的に試料の体積において検出できる被分析物の質量を反映する絶対値を意味する。しかし、量は、他の被分析物の量と比較した相対量も意図する。例えば、試料中の被分析物の量は、試料中に通常存在する被分析物の対照又は正常レベルより大きい量であり得る。
【０１０１】
「約」という用語は、イオンの質量の測定を含まない定量的測定に関して本明細書で用いる場合、表示値プラス又はマイナス１０％を意味する。質量分析機器は、所定の被分析物の質量を決定することについてわずかに異なり得る。イオンの質量又は質量／電荷比に関する「約」という用語は、＋／−０．５０原子質量単位を意味する。
【０１０２】
新生児からの静脈血の採取は、問題のあるものであり得る。包括的なステロイドパネル（又はＣＡＨパネル）に必要な最小の血清の容積が最小限であるが、静脈穿刺により少なくとも１〜２ｍＬの全血が取得される。マイクロサンプリングデバイス（Ｍｉｔｒａチップ）を用いることにより、２０μＬの毛細血管血液が必要であるにすぎず、とりわけ新生児について、より容易で、侵襲性がより低く、これにより、静脈穿刺を行う必要が無くなる。
【０１０３】
一態様において、本明細書で提供されるのは、マイクロサンプリングデバイスにより採取され、抽出された被分析物の質量分析による定量の方法である。
【０１０４】
特定の実施形態において、本明細書で提供される方法は、（ａ）マイクロサンプリングデバイスにより採取された試料から被分析物を抽出すること、（ｂ）被分析物をイオン化して、質量分析により検出できる１つ又は複数のイオンを発生させること、及び（ｃ）質量分析により１つ又は複数のイオンの量を決定することを含む、試料中の被分析物の量を定量することを対象とする。いくつかの実施形態において、決定された１つ又は複数のイオンの量を用いて、試料中の被分析物の量を決定する。いくつかの実施形態において、試料中の被分析物の量を患者における被分析物の量と関連付ける。
【０１０５】
いくつかの実施形態において、本明細書で提供される方法は、質量分析の前に試料を精製することを含む。いくつかの実施形態において、方法は、液体クロマトグラフィーを用いて試料を精製することを含む。いくつかの実施形態において、液体クロマトグラフィーは、高速液体クロマトグラフィー（ＨＰＬＣ）又は高乱流液体クロマトグラフ（ＨＴＬＣ）を含む。いくつかの実施形態において、方法は、試料を固相抽出（ＳＰＥ）にかけることを含む。いくつかの実施形態において、方法は、試料を逆相分析カラムにかけることを含む。
【０１０６】
いくつかの実施形態において、本明細書で提供される方法は、（ａ）マイクロサンプリングデバイスにより採取された試料から被分析物を抽出すること、（ｂ）液体クロマトグラフィーにより試料を精製すること、（ｃ）被分析物をイオン化して、質量分析により検出できる１つ又は複数のイオンを発生させること、及び（ｄ）質量分析により１つ又は複数のイオンの量を決定することを含む、試料中の被分析物の量を定量することを対象とする。いくつかの実施形態において、決定された１つ又は複数のイオンの量を用いて、試料中の被分析物の量を決定する。いくつかの実施形態において、試料中の被分析物の量を患者における被分析物の量と関連付ける。
【０１０７】
いくつかの実施形態において、質量分析は、タンデム質量分析を含む。いくつかの実施形態において、質量分析は、高分解能質量分析である。いくつかの実施形態において、質量分析は、高分解能／高精度質量分析である。
【０１０８】
いくつかの実施形態において、イオン化は、大気圧化学イオン化（ＡＰＣＩ）による。いくつかの実施形態において、イオン化は、エレクトロスプレーイオン化（ＥＳＩ）による。いくつかの実施形態において、前記イオン化は、ポジティブイオンモードである。いくつかの実施形態において、前記イオン化は、ネガティブイオンモードである。
【０１０９】
いくつかの実施形態において、試料を含有するマイクロサンプリングデバイスを９６ウエルプレートに入れる。いくつかの実施形態において、試料を含有するマイクロサンプリングデバイスを９６ラックに入れる。いくつかの実施形態において、自動化により９６ラックを９６ウエルプレートに入れる。いくつかの実施形態において、自動化は、ＨＡＭＩＬＴＯＮ（登録商標）自動化である。
【０１１０】
いくつかの実施形態において、本明細書で提供される方法は、試料に内部標準を添加することを含む。いくつかの実施形態において、内部標準は、標識されている。いくつかの実施形態において、内部標準は、重水素化されている又は同位体標識されている。いくつかの実施形態において、内部標準を抽出緩衝液と共に加える。いくつかの実施形態において、マイクロサンプリングデバイスを内部標準であらかじめ湿らせ、乾燥する。
【０１１１】
いくつかの実施形態において、抽出ステップは、マイクロサンプリングデバイスにより採取された試料に抽出緩衝液を加えることを含む。いくつかの実施形態において、抽出ステップは、試料を含有するマイクロサンプリングデバイスを抽出溶媒を含有する９６ウエルプレートに入れることを含む。いくつかの実施形態において、抽出ステップを自動化する。いくつかの実施形態において、９６ウエルプレートをボルテックスし、次いでマイクロサンプリングデバイスの吸収チップを除去する。いくつかの実施形態において、抽出ステップは、窒素中で乾燥することを含む。いくつかの実施形態において、抽出ステップは、試料を溶液に再構成することを含む。いくつかの実施形態において、再構成は、水性酸若しくは有機物溶液又は両方を試料に加えることを含む。いくつかの実施形態において、再構成された溶液を濾過する。
【０１１２】
いくつかの実施形態において、抽出試料を質量分析システムに注入する。いくつかの実施形態において、抽出試料を液体クロマトグラフィーに注入する。いくつかの実施形態において、抽出及び質量分析ステップは、自動化試料分析を可能にするようにオンライン式で実施する。いくつかの実施形態において、抽出、精製及び質量分析ステップは、自動化試料分析を可能にするようにオンライン式で実施する。
【０１１３】
いくつかの実施形態において、被分析物は、誘導体化されていない。
【０１１４】
いくつかの実施形態において、マイクロサンプリングデバイスにより採取された試料は、試料の処理を必要としない。
【０１１５】
いくつかの実施形態において、マイクロサンプリングデバイスにより採取された試料は、全血である。いくつかの実施形態において、マイクロサンプリングデバイスにより採取された試料は、尿である。いくつかの実施形態において、マイクロサンプリングデバイスにより採取された試料は、唾液である。いくつかの実施形態において、マイクロサンプリングデバイスにより採取された試料は、血清又は血漿である。
【０１１６】
いくつかの実施形態において、マイクロサンプリングデバイスは、試料を採取する吸収チップを含む。いくつかの実施形態において、マイクロサンプリングデバイスにより採取された試料は、一定の容積の患者体液を吸収している。いくつかの実施形態において、マイクロサンプリングデバイスにより採取された試料は、１５０μＬ以下の容積を有する。いくつかの実施形態において、マイクロサンプリングデバイスにより採取された試料は、１００μＬ以下の容積を有する。いくつかの実施形態において、マイクロサンプリングデバイスにより採取された試料は、５０μＬ以下の容積を有する。いくつかの実施形態において、マイクロサンプリングデバイスにより採取された試料は、５μＬから１５０μＬまで（５μＬと１５０μＬを含む）の容積を有する。いくつかの実施形態において、マイクロサンプリングデバイスにより採取された試料は、１０μＬから１００μＬまで（１０μＬと１００μＬを含む）の容積を有する。いくつかの実施形態において、マイクロサンプリングデバイスにより採取された試料は、約１０μＬの容積を有する。いくつかの実施形態において、マイクロサンプリングデバイスにより採取された試料は、約１５μＬの容積を有する。いくつかの実施形態において、マイクロサンプリングデバイスにより採取された試料は、約２０μＬの容積を有する。いくつかの実施形態において、マイクロサンプリングデバイスにより採取された試料は、約３０μＬの容積を有する。いくつかの実施形態において、マイクロサンプリングデバイスにより採取された試料は、約５０μＬの容積を有する。いくつかの実施形態において、マイクロサンプリングデバイスにより採取された試料は、約１００μＬの容積を有する。いくつかの実施形態において、マイクロサンプリングデバイスにより採取された試料は、ヘマトクリットの量にかかわらず、一定容積の血液を吸収している。
【０１１７】
いくつかの実施形態において、本明細書で提供される方法は、（ａ）１００μＬ以下の試料から被分析物を抽出すること、（ｂ）被分析物をイオン化して、質量分析により検出できる１つ又は複数のイオンを発生させること、及び（ｃ）質量分析により１つ又は複数のイオンの量を決定することを含む、試料中の被分析物の量を定量することを対象とする。いくつかの実施形態において、決定された１つ又は複数のイオンの量を用いて、試料中の被分析物の量を決定する。いくつかの実施形態において、試料中の被分析物の量を患者における被分析物の量に関連付ける。
【０１１８】
いくつかの実施形態において、本明細書で提供される方法は、（ａ）１００μＬ以下の試料から被分析物を抽出すること、（ｂ）液体クロマトグラフィーにより試料を精製すること、（ｃ）被分析物をイオン化して、質量分析により検出できる１つ又は複数のイオンを発生させること、及び（ｄ）質量分析により１つ又は複数のイオンの量を決定することを含む、試料中の被分析物の量を定量することを対象とする。いくつかの実施形態において、決定された１つ又は複数のイオンの量を用いて、試料中の被分析物の量を決定する。いくつかの実施形態において、試料中の被分析物の量を患者における被分析物の量に関連付ける。
【０１１９】
いくつかの実施形態において、方法は、５０μＬ以下の試料から被分析物を抽出することを含む。いくつかの実施形態において、方法は、３０μＬ以下の試料から被分析物を抽出することを含む。いくつかの実施形態において、方法は、２０μＬ以下の試料から被分析物を抽出することを含む。いくつかの実施形態において、方法は、１５μＬ以下の試料から被分析物を抽出することを含む。いくつかの実施形態において、方法は、１０μＬ以下の試料から被分析物を抽出することを含む。
【０１２０】
いくつかの実施形態において、マイクロサンプリングデバイスにより採取された試料は、冷凍又は凍結せずに輸送することができる。いくつかの実施形態において、マイクロサンプリングデバイスにより採取された試料は、ドライアイスを用いずに輸送することができる。いくつかの実施形態において、マイクロサンプリングデバイスにより採取された試料は、室温で輸送することができる。いくつかの実施形態において、マイクロサンプリングデバイスにより採取された試料は、バイオハザードの懸念なしに輸送することができる。
【０１２１】
いくつかの実施形態において、マイクロサンプリングデバイスにより採取された試料は、採取のための訓練をほとんど必要としない。いくつかの実施形態において、マイクロサンプリングデバイスにより採取される試料は、どこでも採取することができる。いくつかの実施形態において、マイクロサンプリングデバイスにより採取された試料は、輸送のために周囲温度で乾燥することができる。
【０１２２】
いくつかの実施形態において、マイクロサンプリングデバイスは、ＭＩＴＲＡ（登録商標）チップである。いくつかの実施形態において、マイクロサンプリングデバイスは、抽出及び質量分析の自動化のために設計されたカートリッジに収容されている。
【０１２３】
いくつかの実施形態において、方法は、マイクロサンプリングデバイスにより試料を採取することをさらに含む。いくつかの実施形態において、採取するステップは、指穿刺を実施することと、マイクロサンプリングデバイスの吸収チップを血液に当てることとを含む。いくつかの実施形態において、採取するステップは、吸収チップを患者の尿又は唾液中に入れることを含む。いくつかの実施形態において、マイクロサンプリングデバイスに採取された試料を風乾する。いくつかの実施形態において、マイクロサンプリングデバイスに採取された試料を輸送の前に１〜２時間風乾する。
【０１２４】
いくつかの実施形態において、被分析物は、ステロイドである。いくつかの実施形態において、ステロイドは、コルチゾール、コルチゾン、プロゲステロン、１７−ヒドロキシプロゲステロン、アンドロステンジオン、テストステロン、デヒドロエピアンドロステロン、コルチコステロン、デオキシコルチコステロン、１１−デオキシコルチゾール、プレグネノロン、１７−ヒドロキシプレグネノロン、１８−ヒドロキシコルチコステロン又は２１−デオキシコルチゾールである。いくつかの実施形態において、被分析物は、先天性副腎過形成（ＣＡＨ）を診断するためのステロイドパネルにおけるステロイドである。いくつかの実施形態において、ステロイドは、コルチゾール、コルチゾン、プロゲステロン、１７−ヒドロキシプロゲステロン、アンドロステンジオン、テストステロン、デヒドロエピアンドロステロン、コルチコステロン、デオキシコルチコステロン、１１−デオキシコルチゾール、プレグネノロン、１７−ヒドロキシプレグネノロン、１８−ヒドロキシコルチコステロン及び２１−デオキシコルチゾールからなる群から選択される。いくつかの実施形態において、ステロイドは、２５−ヒドロキシビタミンＤ２又は２５−ヒドロキシビタミンＤ３である。
【０１２５】
いくつかの実施形態において、被分析物は、アヘン剤である。いくつかの実施形態において、アヘン剤は、シス−トラマドール、Ｏ−デスメチルトラマドール、タペンタドール、Ｎ−デスメチルタペンタドール、コデイン、モルヒネ、オキシモルフォン、ノルヒドロコドン、オキシコドン、ノルオキシコドン、ヒドロモルフォン、ヒドロコドン、ブプレノルフィン、ノルブプレノルフィン、フェンタニル、ノルフェンタニル、６−モノアセチルモルフィン（６−ＭＡＭ）、メタドン、ジヒドロコデイン、ナロキソン、ナルトレキソン、６β−ナルトレキソール、ナロルフィン、ナルブフィン又は２−エチリデン−１，５−ジメチル−３，３−ジフェニルピロリジン（ＥＤＤＰ）である。いくつかの実施形態において、アヘン剤は、シス−トラマドール、Ｏ−デスメチルトラマドール、タペンタドール、Ｎ−デスメチルタペンタドール、コデイン、モルヒネ、オキシモルフォン、ノルヒドロコドン、オキシコドン、ノルオキシコドン、ヒドロモルフォン、ヒドロコドン、ブプレノルフィン、ノルブプレノルフィン、フェンタニル、ノルフェンタニル、６−モノアセチルモルフィン（６−ＭＡＭ）、メタドン、ジヒドロコデイン、ナロキソン、ナルトレキソン、６β−ナルトレキソール、ナロルフィン、ナルブフィン及び２−エチリデン−１，５−ジメチル−３，３−ジフェニルピロリジン（ＥＤＤＰ）からなる群から選択される。いくつかの実施形態において、アヘン剤を全血、唾液又は尿試料から抽出する。
【０１２６】
いくつかの実施形態において、被分析物は、ベンゾジアゼピンである。いくつかの実施形態において、ベンゾジアゼピンは、オキサゼパム、テマゼパム、ロラゼパム、ノルジアゼパム、ジアゼパム、クロルジアゼポキシド、トリアゾラム、ミダゾラム、アルプラゾラム、クロナゼパム、ブロマゼパム、クロバザム、ニトラゼパム、フェナゼパム、プラゼパム、メダゼパム、フルニトラゼパム又はフルラゼパムである。いくつかの実施形態において、ベンゾジアゼピンは、オキサゼパム、テマゼパム、ロラゼパム、ノルジアゼパム、ジアゼパム、クロルジアゼポキシド、トリアゾラム、ミダゾラム、アルプラゾラム、クロナゼパム、ブロマゼパム、クロバザム、ニトラゼパム、フェナゼパム、プラゼパム、メダゼパム、フルニトラゼパム及びフルラゼパムからなる群から選択される。いくつかの実施形態において、ベンゾジアゼピンを全血又は尿試料から抽出する。
【０１２７】
いくつかの実施形態において、１つ又は複数のイオンは、３１６±０．５の質量電荷比（ｍ／ｚ）を有するブロマゼパム前駆イオンを含む。いくつかの実施形態において、１つ又は複数のイオンは、２１４±０．５又は２７０±０．５の質量電荷比（ｍ／ｚ）を有する１つ又は複数のフラグメントイオンを含む。いくつかの実施形態において、１つ又は複数のイオンは、２８７±０．５の質量電荷比（ｍ／ｚ）を有するオキサゼパム前駆イオンを含む。いくつかの実施形態において、１つ又は複数のイオンは、１０４±０．５又は２４１±０．５の質量電荷比（ｍ／ｚ）を有する１つ又は複数のフラグメントイオンを含む。いくつかの実施形態において、１つ又は複数のイオンは、３００±０．５の質量電荷比（ｍ／ｚ）を有するクロバザム前駆イオンを含む。いくつかの実施形態において、１つ又は複数のイオンは、２２４±０．５又は２５９±０．５の質量電荷比（ｍ／ｚ）を有する１つ又は複数のフラグメントイオンを含む。いくつかの実施形態において、１つ又は複数のイオンは、２８２±０．５の質量電荷比（ｍ／ｚ）を有するニトラゼパム前駆イオンを含む。いくつかの実施形態において、１つ又は複数のイオンは、１８０±０．５又は２３６±０．５の質量電荷比（ｍ／ｚ）を有する１つ又は複数のフラグメントイオンを含む。いくつかの実施形態において、１つ又は複数のイオンは、３０９．１±０．５の質量電荷比（ｍ／ｚ）を有するアルプラゾラム前駆イオンを含む。いくつかの実施形態において、１つ又は複数のイオンは、１６５±０．５又は２８０．９±０．５の質量電荷比（ｍ／ｚ）を有する１つ又は複数のフラグメントイオンを含む。いくつかの実施形態において、１つ又は複数のイオンは、３４３±０．５の質量電荷比（ｍ／ｚ）を有するトリアゾラム前駆イオンを含む。いくつかの実施形態において、１つ又は複数のイオンは、２０６±０．５又は３０８±０．５の質量電荷比（ｍ／ｚ）を有する１つ又は複数のフラグメントイオンを含む。いくつかの実施形態において、１つ又は複数のイオンは、３１６±０．５の質量電荷比（ｍ／ｚ）を有するクロナゼパム前駆イオンを含む。いくつかの実施形態において、１つ又は複数のイオンは、２１４±０．５又は２７０±０．５の質量電荷比（ｍ／ｚ）を有する１つ又は複数のフラグメントイオンを含む。いくつかの実施形態において、１つ又は複数のイオンは、３８８±０．５の質量電荷比（ｍ／ｚ）を有するフルラゼパム前駆イオンを含む。いくつかの実施形態において、１つ又は複数のイオンは、２８７．９±０．５又は３１５±０．５の質量電荷比（ｍ／ｚ）を有する１つ又は複数のフラグメントイオンを含む。いくつかの実施形態において、１つ又は複数のイオンは、３２１±０．５の質量電荷比（ｍ／ｚ）を有するロラゼパム前駆イオンを含む。いくつかの実施形態において、１つ又は複数のイオンは、２２９．１±０．５又は３３１±０．５の質量電荷比（ｍ／ｚ）を有する１つ又は複数のフラグメントイオンを含む。いくつかの実施形態において、１つ又は複数のイオンは、３１４±０．５の質量電荷比（ｍ／ｚ）を有するフルニトラゼパム前駆イオンを含む。いくつかの実施形態において、１つ又は複数のイオンは、２１１±０．５又は２６８±０．５の質量電荷比（ｍ／ｚ）を有する１つ又は複数のフラグメントイオンを含む。いくつかの実施形態において、１つ又は複数のイオンは、３０１．１±０．５の質量電荷比（ｍ／ｚ）を有するテマゼパム前駆イオンを含む。いくつかの実施形態において、１つ又は複数のイオンは、１７７±０．５又は２５５±０．５の質量電荷比（ｍ／ｚ）を有する１つ又は複数のフラグメントイオンを含む。いくつかの実施形態において、１つ又は複数のイオンは、３２６±０．５の質量電荷比（ｍ／ｚ）を有するミダゾラム前駆イオンを含む。いくつかの実施形態において、１つ又は複数のイオンは、１２９±０．５又は２４４±０．５の質量電荷比（ｍ／ｚ）を有する１つ又は複数のフラグメントイオンを含む。いくつかの実施形態において、１つ又は複数のイオンは、２７１±０．５の質量電荷比（ｍ／ｚ）を有するノルジアゼパム前駆イオンを含む。いくつかの実施形態において、１つ又は複数のイオンは、１３９．８±０．５又は１６５±０．５の質量電荷比（ｍ／ｚ）を有する１つ又は複数のフラグメントイオンを含む。いくつかの実施形態において、１つ又は複数のイオンは、３５１±０．５の質量電荷比（ｍ／ｚ）を有するフェナゼパム前駆イオンを含む。いくつかの実施形態において、１つ又は複数のイオンは、１８５．９±０．５又は２０６±０．５の質量電荷比（ｍ／ｚ）を有する１つ又は複数のフラグメントイオンを含む。いくつかの実施形態において、１つ又は複数のイオンは、３０１±０．５の質量電荷比（ｍ／ｚ）を有するクロルジアゼパム前駆イオンを含む。いくつかの実施形態において、１つ又は複数のイオンは、２５９±０．５又は２２４±０．５の質量電荷比（ｍ／ｚ）を有する１つ又は複数のフラグメントイオンを含む。いくつかの実施形態において、１つ又は複数のイオンは、２８５±０．５の質量電荷比（ｍ／ｚ）を有するジアゼパム前駆イオンを含む。いくつかの実施形態において、１つ又は複数のイオンは、１５４±０．５又は１９３±０．５の質量電荷比（ｍ／ｚ）を有する１つ又は複数のフラグメントイオンを含む。いくつかの実施形態において、１つ又は複数のイオンは、３２５±０．５の質量電荷比（ｍ／ｚ）を有するプラゼパム前駆イオンを含む。いくつかの実施形態において、１つ又は複数のイオンは、１６５±０．５又は２７１±０．５の質量電荷比（ｍ／ｚ）を有する１つ又は複数のフラグメントイオンを含む。いくつかの実施形態において、１つ又は複数のイオンは、２７１±０．５の質量電荷比（ｍ／ｚ）を有するメダゼパム前駆イオンを含む。いくつかの実施形態において、１つ又は複数のイオンは、１８０±０．５又は２０７．１±０．５の質量電荷比（ｍ／ｚ）を有する１つ又は複数のフラグメントイオンを含む。
【０１２８】
いくつかの実施形態において、被分析物は、抗てんかん薬である。いくつかの実施形態において、抗てんかん薬は、バルプロ酸、チアガビン、トピラメート、レビチラセツム、ラモトリギン、ラコサミド、エトスキシミド、カルバマゼピン、エスリカルバマゼピン、１０，１１−カルバマゼピン、フェノバルビタール、ルフィナミド、プリミドン、フェニトイン、ゾニサミド、フェルバメート、ガバペンチン又はプレガブリンである。いくつかの実施形態において、抗てんかん薬は、バルプロ酸、チアガビン、トピラメート、レビチラセツム、ラモトリギン、ラコサミド、エトスキシミド、カルバマゼピン、エスリカルバマゼピン、１０，１１−カルバマゼピン、フェノバルビタール、ルフィナミド、プリミドン、フェニトイン、ゾニサミド、フェルバメート、ガバペンチン及びプレガブリンからなる群から選択される。いくつかの実施形態において、抗てんかん薬を全血試料から抽出する。
【０１２９】
いくつかの実施形態において、１つ又は複数のイオンは、３３９±０．５の質量電荷比（ｍ／ｚ）を有するフェルバメート前駆イオンを含む。いくつかの実施形態において、１つ又は複数のイオンは、１１７．３±０．５又は２６１±０．５の質量電荷比（ｍ／ｚ）を有する１つ又は複数のフラグメントイオンを含む。いくつかの実施形態において、１つ又は複数のイオンは、１４２±０．５の質量電荷比（ｍ／ｚ）を有するエトスキシミド前駆イオンを含む。いくつかの実施形態において、１つ又は複数のイオンは、４４．３±０．５又は３９．３±０．５の質量電荷比（ｍ／ｚ）を有する１つ又は複数のフラグメントイオンを含む。いくつかの実施形態において、１つ又は複数のイオンは、２５１±０．５の質量電荷比（ｍ／ｚ）を有するラコサミド前駆イオンを含む。いくつかの実施形態において、１つ又は複数のイオンは、９１．２±０．５又は６５．２±０．５の質量電荷比（ｍ／ｚ）を有する１つ又は複数のフラグメントイオンを含む。いくつかの実施形態において、１つ又は複数のイオンは、２５６±０．５の質量電荷比（ｍ／ｚ）を有するラモトリギン前駆イオンを含む。いくつかの実施形態において、１つ又は複数のイオンは、２１１±０．５又は１４５±０．５の質量電荷比（ｍ／ｚ）を有する１つ又は複数のフラグメントイオンを含む。いくつかの実施形態において、１つ又は複数のイオンは、３３８．２±０．５の質量電荷比（ｍ／ｚ）を有するトピラメート前駆イオンを含む。いくつかの実施形態において、１つ又は複数のイオンは、７８．２±０．５又は９６．２±０．５の質量電荷比（ｍ／ｚ）を有する１つ又は複数のフラグメントイオンを含む。いくつかの実施形態において、１つ又は複数のイオンは、１７２．３±０．５の質量電荷比（ｍ／ｚ）を有するガバペンチン前駆イオンを含む。いくつかの実施形態において、１つ又は複数のイオンは、９１．２±０．５又は６７．２±０．５の質量電荷比（ｍ／ｚ）を有する１つ又は複数のフラグメントイオンを含む。いくつかの実施形態において、１つ又は複数のイオンは、２９７．１±０．５の質量電荷比（ｍ／ｚ）を有するエスリカルバマゼピン前駆イオンを含む。いくつかの実施形態において、１つ又は複数のイオンは、１９４±０．５又は１７９±０．５の質量電荷比（ｍ／ｚ）を有する１つ又は複数のフラグメントイオンを含む。いくつかの実施形態において、１つ又は複数のイオンは、２１９．８±０．５の質量電荷比（ｍ／ｚ）を有するプリミドン前駆イオンを含む。いくつかの実施形態において、１つ又は複数のイオンは、７９±０．５又は１３５．２±０．５の質量電荷比（ｍ／ｚ）を有する１つ又は複数のフラグメントイオンを含む。いくつかの実施形態において、１つ又は複数のイオンは、１６０．１±０．５の質量電荷比（ｍ／ｚ）を有するプレガバリン前駆イオンを含む。いくつかの実施形態において、１つ又は複数のイオンは、５５．２±０．５又は７７．２±０．５の質量電荷比（ｍ／ｚ）を有する１つ又は複数のフラグメントイオンを含む。いくつかの実施形態において、１つ又は複数のイオンは、２３７±０．５の質量電荷比（ｍ／ｚ）を有するカルバマゼピン前駆イオンを含む。いくつかの実施形態において、１つ又は複数のイオ���は、１９４．１±０．５又は１７９±０．５の質量電荷比（ｍ／ｚ）を有する１つ又は複数のフラグメントイオンを含む。いくつかの実施形態において、１つ又は複数のイオンは、２３１±０．５の質量電荷比（ｍ／ｚ）を有するフェノバルビタール前駆イオンを含む。いくつかの実施形態において、１つ又は複数のイオンは、４４．２±０．５又は１８８．１±０．５の質量電荷比（ｍ／ｚ）を有する１つ又は複数のフラグメントイオンを含む。いくつかの実施形態において、１つ又は複数のイオンは、２３６．２±０．５の質量電荷比（ｍ／ｚ）を有するエポキシド前駆イオンを含む。いくつかの実施形態において、１つ又は複数のイオンは、１４１．２±０．５又は１１２．２±０．５の質量電荷比（ｍ／ｚ）を有する１つ又は複数のフラグメントイオンを含む。いくつかの実施形態において、１つ又は複数のイオンは、２１３．２±０．５の質量電荷比（ｍ／ｚ）を有するゾニサミド前駆イオンを含む。いくつかの実施形態において、１つ又は複数のイオンは、７７．２±０．５又は１０２．１±０．５の質量電荷比（ｍ／ｚ）を有する１つ又は複数のフラグメントイオンを含む。いくつかの実施形態において、１つ又は複数のイオンは、３７６．２±０．５の質量電荷比（ｍ／ｚ）を有するチアガビン前駆イオンを含む。いくつかの実施形態において、１つ又は複数のイオンは、１１１．１±０．５又は１４９．１±０．５の質量電荷比（ｍ／ｚ）を有する１つ又は複数のフラグメントイオンを含む。いくつかの実施形態において、１つ又は複数のイオンは、２５３．１±０．５の質量電荷比（ｍ／ｚ）を有するフェニトイン前駆イオンを含む。いくつかの実施形態において、１つ又は複数のイオンは、１０４．２±０．５又は１８２．２±０．５の質量電荷比（ｍ／ｚ）を有する１つ又は複数のフラグメントイオンを含む。いくつかの実施形態において、１つ又は複数のイオンは、１７１．２±０．５の質量電荷比（ｍ／ｚ）を有するレベチラセタム前駆イオンを含む。いくつかの実施形態において、１つ又は複数のイオンは、１２６．２±０．５又は６９．２±０．５の質量電荷比（ｍ／ｚ）を有する１つ又は複数のフラグメントイオンを含む。いくつかの実施形態において、１つ又は複数のイオンは、１４３±０．５の質量電荷比（ｍ／ｚ）を有するバルプロ酸前駆イオンを含む。いくつかの実施形態において、１つ又は複数のイオンは、１４３±０．５の質量電荷比（ｍ／ｚ）を有する１つ又は複数のフラグメントイオンを含む。いくつかの実施形態において、１つ又は複数のイオンは、２３９±０．５の質量電荷比（ｍ／ｚ）を有するルフィナミド前駆イオンを含む。いくつかの実施形態において、１つ又は複数のイオンは、１２７．２±０．５又は２６１±０．５の質量電荷比（ｍ／ｚ）を有する１つ又は複数のフラグメントイオンを含む。いくつかの実施形態において、１つ又は複数のイオンは、２１９±０．５の質量電荷比（ｍ／ｚ）を有するプリミドン前駆イオンを含む。いくつかの実施形態において、１つ又は複数のイオンは、１２６±０．５又は１４１±０．５の質量電荷比（ｍ／ｚ）を有する１つ又は複数のフラグメントイオンを含む。いくつかの実施形態において、１つ又は複数のイオンは、３５０±０．５の質量電荷比（ｍ／ｚ）を有するトピラメートＤ１２前駆イオンを含む。いくつかの実施形態において、１つ又は複数のイオンは、７８．２±０．５の質量電荷比（ｍ／ｚ）を有する１つ又は複数のフラグメントイオンを含む。いくつかの実施形態において、１つ又は複数のイオンは、２５６±０．５の質量電荷比（ｍ／ｚ）を有するエポキシドＤ３前駆イオンを含む。いくつかの実施形態において、１つ又は複数のイオンは、７７±０．５の質量電荷比（ｍ／ｚ）を有する１つ又は複数のフラグメントイオンを含む。いくつかの実施形態において、１つ又は複数のイオンは、２５９±０．５の質量電荷比（ｍ／ｚ）を有するラモトリギン１３Ｃ３前駆イオンを含む。いくつかの実施形態において、１つ又は複数のイオンは、２１４±０．５の質量電荷比（ｍ／ｚ）を有する１つ又は複数のフラグメントイオンを含む。いくつかの実施形態において、１つ又は複数のイオンは、１７７．２±０．５の質量電荷比（ｍ／ｚ）を有するレベチラセタムＤ６前駆イオンを含む。いくつかの実施形態において、１つ又は複数のイオンは、１３２．２±０．５の質量電荷比（ｍ／ｚ）を有する１つ又は複数のフラグメントイオンを含む。
【０１３０】
いくつかの実施形態において、被分析物は、免疫抑制薬である。いくつかの実施形態において、免疫抑制薬は、シクロスポリンＡ、シロリムス、タクロリムス又はエベロリムスである。いくつかの実施形態において、免疫抑制薬は、シクロスポリンＡ、シロリムス、タクロリムス及びエベロリムスからなる群から選択される。いくつかの実施形態において、免疫抑制薬を全血試料から抽出する。
【０１３１】
いくつかの実施形態において、被分析物は、バルビツレートである。いくつかの実施形態において、バルビツレートは、フェノバルビタール、アモバルビタール、ブタルビタール、ペントバルビタール、セコバルビタール又はチオペンタールである。いくつかの実施形態において、バルビツレートは、フェノバルビタール、アモバルビタール、ブタルビタール、ペントバルビタール、セコバルビタール及びチオペンタールからなる群から選択される。いくつかの実施形態において、バルビツレートを全血試料から抽出する。
【０１３２】
いくつかの実施形態において、１つ又は複数のイオンは、２３７．０±０．５の質量電荷比（ｍ／ｚ）を有するセコバルビタール前駆イオンを含む。いくつかの実施形態において、１つ又は複数のイオンは、４２．０±０．５の質量電荷比（ｍ／ｚ）を有する１つ又は複数のフラグメントイオンを含む。いくつかの実施形態において、１つ又は複数のイオンは、２２５．０±０．５の質量電荷比（ｍ／ｚ）を有するアンモバルビタール前駆イオンを含む。いくつかの実施形態において、１つ又は複数のイオンは、１８２．０±０．５の質量電荷比（ｍ／ｚ）を有する１つ又は複数のフラグメントイオンを含む。いくつかの実施形態において、１つ又は複数のイオンは、２２５．６±０．５の質量電荷比（ｍ／ｚ）を有するペントバルビタール前駆イオンを含む。いくつかの実施形態において、１つ又は複数のイオンは、４２．０±０．５の質量電荷比（ｍ／ｚ）を有する１つ又は複数のフラグメントイオンを含む。いくつかの実施形態において、１つ又は複数のイオンは、２４１．０±０．５の質量電荷比（ｍ／ｚ）を有するチオペンタール前駆イオンを含む。いくつかの実施形態において、１つ又は複数のイオンは、５７．９±０．５の質量電荷比（ｍ／ｚ）を有する１つ又は複数のフラグメントイオンを含む。いくつかの実施形態において、１つ又は複数のイオンは、２３１．０±０．５の質量電荷比（ｍ／ｚ）を有するフェノバルビタール前駆イオンを含む。いくつかの実施形態において、１つ又は複数のイオンは、４２．０±０．５の質量電荷比（ｍ／ｚ）を有する１つ又は複数のフラグメントイオンを含む。いくつかの実施形態において、１つ又は複数のイオンは、２２３．１±０．５の質量電荷比（ｍ／ｚ）を有するブタルビタール前駆イオンを含む。いくつかの実施形態において、１つ又は複数のイオンは、４２．１±０．５の質量電荷比（ｍ／ｚ）を有する１つ又は複数のフラグメントイオンを含む。
【０１３３】
いくつかの実施形態において、被分析物は、タモキシフェンである。いくつかの実施形態において、被分析物は、タモキシフェンの代謝物である。いくつかの実施形態において、前記代謝物は、ノルエンドキシフェンである。いくつかの実施形態において、前記代謝物は、エンドキシフェン又はＮ−デスメチル−４−ヒドロキシタモキシフェンである。いくつかの実施形態において、前記代謝物は、４’−ヒドロキシタモキシフェンである。いくつかの実施形態において、前記代謝物は、４−ヒドロキシタモキシフェンである。いくつかの実施形態において、前記代謝物は、Ｎ−デスメチル−４’−ヒドロキシタモキシフェンである。いくつかの実施形態において、前記代謝物は、Ｎ−デスメチルタモキシフェンである。いくつかの実施形態において、前記代謝物は、ノルエンドキシフェン、エンドキシフェン、４’−ヒドロキシタモキシフェン、４−ヒドロキシタモキシフェン、Ｎ−デスメチル−４’−ヒドロキシタモキシフェン及びＮ−デスメチル−４’−ヒドロキシタモキシフェンからなる群から選択される。いくつかの実施形態において、タモキシフェン又はその代謝物を全血試料から抽出する。
【０１３４】
いくつかの実施形態において、１つ又は複数のイオンは、３７２．２±０．５の質量電荷比（ｍ／ｚ）を有するタモキシフェン前駆イオンを含む。いくつかの実施形態において、１つ又は複数のイオンは、７２．１４±０．５の質量電荷比（ｍ／ｚ）を有する１つ又は複数のフラグメントイオンを含む。いくつかの実施形態において、１つ又は複数のイオンは、３７４．２±０．５の質量電荷比（ｍ／ｚ）を有するエンドキシフェン前駆イオンを含む。いくつかの実施形態において、１つ又は複数のイオンは、５８．１±０．５の質量電荷比（ｍ／ｚ）を有する１つ又は複数のフラグメントイオンを含む。いくつかの実施形態において、１つ又は複数のイオンは、３８８．２±０．５の質量電荷比（ｍ／ｚ）を有する４−ヒドロキシタモキシフェン前駆イオンを含む。いくつかの実施形態において、１つ又は複数のイオンは、７２．１±０．５の質量電荷比（ｍ／ｚ）を有する１つ又は複数のフラグメントイオンを含む。いくつかの実施形態において、１つ又は複数のイオンは、３７４．２±０．５の質量電荷比（ｍ／ｚ）を有するＮ−デスメチル−４’−ヒドロキシタモキシフェン前駆イオンを含む。いくつかの実施形態において、１つ又は複数のイオンは、５８．１±０．５の質量電荷比（ｍ／ｚ）を有する１つ又は複数のフラグメントイオンを含む。いくつかの実施形態において、１つ又は複数のイオンは、３８８．２±０．５の質量電荷比（ｍ／ｚ）を有する４’−ヒドロキシタモキシフェン前駆イオンを含む。いくつかの実施形態において、１つ又は複数のイオンは、７２．１±０．５の質量電荷比（ｍ／ｚ）を有する１つ又は複数のフラグメントイオンを含む。いくつかの実施形態において、１つ又は複数のイオンは、３５８．２±０．５の質量電荷比（ｍ／ｚ）を有するＮ−デスメチル−４’−ヒドロキシタモキシフェン前駆イオンを含む。いくつかの実施形態において、１つ又は複数のイオンは、５８．１±０．５の質量電荷比（ｍ／ｚ）を有する１つ又は複数のフラグメントイオンを含む。
【０１３５】
いくつかの実施形態において、被分析物は、抗腫瘍薬である。いくつかの実施形態において、被分析物は、アナストロゾールである。いくつかの実施形態において、被分析物は、レトロゾールである。いくつかの実施形態において、被分析物は、エクゼメスタンである。いくつかの実施形態において、被分析物は、アナストロゾール、レトロゾール及びエクゼメスタンからなる群から選択される。いくつかの実施形態において、抗腫瘍薬を全血試料から抽出する。
【０１３６】
いくつかの実施形態において、被分析物は、テトラヒドロカンナビノール（ＴＨＣ）又はその代謝物である。いくつかの実施形態において、ＴＨＣを尿試料から抽出する。
【０１３７】
いくつかの実施形態において、抽出された被分析物を加水分解する。いくつかの実施形態において、抽出の前に被分析物を加水分解する。
【０１３８】
いくつかの実施形態において、衝突エネルギーは、約５〜６０Ｖの範囲内にある。いくつかの実施形態において、衝突エネルギーは、約５〜６０Ｖの範囲内にある。
【０１３９】
別の態様において、本明細書で提供されるのは、患者における先天性副腎過形成の診断の方法である。いくつかの実施形態において、本明細書で提供される内因性ステロイドの定量の方法を先天性副腎過形成を診断するために用いる。
【０１４０】
別の態様において、本明細書で提供されるのは、個体におけるＴＨＣの使用の検出又はモニタリングの方法である。別の態様において、本明細書で提供されるのは、個体におけるバルビツレートの使用の検出又はモニタリングの方法である。別の態様において、本明細書で提供されるのは、個体におけるアヘン剤の使用の検出又はモニタリングの方法である。別の態様において、本明細書で提供されるのは、個体におけるベンゾジアゼピンの使用の検出又はモニタリングの方法である。
【０１４１】
別の態様において、本明細書で提供されるのは、個体における抗てんかん薬の使用の検出又はモニタリングの方法である。別の態様において、本明細書で提供されるのは、個体における抗てんかん薬の有効性をモニタリングする方法である。
【０１４２】
別の態様において、本明細書で提供されるのは、個体におけるタモキシフェンの使用の検出又はモニタリングの方法である。別の態様において、本明細書で提供されるのは、個体におけるタモキシフェンの有効性をモニタリングする方法である。
【０１４３】
別の態様において、本明細書で示す特定の方法は、高分解能／高精度質量分析を利用して、試料中の被分析物の量を決定する。高精度／高分解能質量分析を利用するいくつかの実施形態において、方法は、（ａ）イオンを発生させるのに適する条件下で試料からの被分析物をイオン化源にかけること（イオンは質量分析により検出できるものである）、および（ｂ）高分解能／高精度質量分析により１つ又は複数のイオンの量を決定することを含む。これらの実施形態において、ステップ（ｂ）で決定された１つ又は複数のイオンの量を試料中の被分析物の量に関連付ける。いくつかの実施形態において、高分解能／高精度質量分析を１０，０００のＦＷＨＭ及び５０ｐｐｍの質量精度で行う。いくつかの実施形態において、高分解能／高精度質量分析を高分解能／高精度飛行時間（ＴＯＦ）型質量分析計を用いて行う。いくつかの実施形態において、イオン化条件は、酸性条件下での被分析物のイオン化を含む。いくつかの関連実施形態において、酸性条件は、イオン化の前のギ酸による前記試料の処理を含む。
【０１４４】
本明細書で述べる方法のいずれかにおいて、試料は、生物学的試料を含み得る。いくつかの実施形態において、生物学的試料は、尿、血漿又は血清などの生物学的流体を含み得る。いくつかの実施形態において、生物学的試料は、ヒト、例えば、成人男性若しくは女性、又は若年男性若しくは女性からの試料を含み得る。ここで、若年は、１８歳未満、１５歳未満、１２歳未満、又は１０歳未満である。ヒト試料は、病状若しくは状態を診断若しくはモニターするために、又は病状若しくは状態の処置の治療有効性をモニターするために分析することができる。いくつかの関連実施形態において、本明細書で述べる方法は、ヒトから採取した場合の生体試料中の被分析物の量を決定するために用いることができる。
【０１４５】
タンデム質量分析を利用する実施形態において、タンデム質量分析は、例えば、多重反応モニタリング、前駆イオンスキャニング又はプロダクトイオンスキャニングを含む、当技術分野で公知の方法により実施することができる。
【０１４６】
いくつかの実施形態において、タンデム質量分析は、前駆イオンを１つ又は複数のフラグメントイオンにフラグメント化することを含む。２つ以上のフラグメントイオンの量を決定する実施形態において、測定されたイオン量を試料中の被分析物の量に関連付けるために、該量を当技術分野で公知の数学的操作にかけることができる。例えば、試料中の被分析物の量を決定することの一部として、２つ以上のフラグメントイオンの量を合計することができる。
【０１４７】
いくつかの実施形態において、高分解能／高精度質量分析は、約１０，０００以上、例えば約１５，０００以上など、例えば約２０，０００以上など、例えば約２５，０００以上などの分解能（ＦＷＨＭ）で実施する。いくつかの実施形態において、高分解能／高精度質量分析は、約５０ｐｐｍ以下、例えば約２０ｐｐｍ以下など、例えば約１０ｐｐｍ以下など、例えば約５ｐｐｍ以下など、例えば約３ｐｐｍ以下などの精度で実施する。いくつかの実施形態において、高分解能／高精度質量分析は、約１０，０００以上の分解能（ＦＷＨＭ）及び約５０ｐｐｍ以下の精度で実施する。いくつかの実施形態において、分解能は、約１５，０００超であり、精度は、約２０ｐｐｍ以下である。いくつかの実施形態において、分解能は、約２０，０００以上であり、精度は、約１０ｐｐｍ以下であり、好ましくは、分解能は、約２０，０００以上であり、精度は、約５ｐｐｍ以下、例えば約３ｐｐｍ以下などである。
【０１４８】
いくつかの実施形態において、高分解能／高精度質量分析は、オービトラップ型質量分析計、飛行時間（ＴＯＦ）型質量分析計又はフーリエ変換イオンサイクロトロン共鳴型質量分析計（時としてフーリエ変換質量分析計として公知である）を用いて実施することができる。
【０１４９】
質量分析（タンデム又は高分解能／高精度）は、ポジティブイオンモードで実施することができる。或いは、質量分析は、ネガティブイオンモードで実施することができる。例えば、大気圧化学イオン化（ＡＰＣＩ）又はエレクトロスプレーイオン化（ＥＳＩ）を含む、様々なイオン化源を用いて被分析物をイオン化することができる。
【０１５０】
本明細書で示す方法のいずれかにおいて、別個に検出できる内部標準を試料に加えることができ、その量も試料中で決定される。別個に検出できる内部標準を利用する実施形態において、試料中に存在する対象の被分析物及び内部標準の両方のすべて又は一部がイオン化されて、質量分析計で検出できる複数のイオンを生成し、それぞれから生成した１つ又は複数のイオンが質量分析により検出される。これらの実施形態において、対象の被分析物から生成したイオンの存在又は量は、検出された内部標準イオンの量との比較により試料中の対象の被分析物の量の存在に関連付けることができる。
【０１５１】
或いは、試料中の被分析物の量は、１つ又は複数の外部参照標準との比較により決定することができる。具体例としての外部参照標準は、ヒト若しくは非ヒト被分析物、合成被分析物類似体又はその同位体標識変異体を添加したブランク血漿又は血清などである。
【０１５２】
質量分析用の試料の調製
質量分析の前に用いることができる試料の精製の１つの方法は、対象の被分析物はカラム充填剤に可逆的に保持されるが、１つ又は複数の他の物質は保持されない条件下で試料を固相抽出（ＳＰＥ）カラムに加えることである。この技術において、対象の被分析物がカラムにより保持される場合に、第１の移動相条件を用いることができ、保持されない物質が洗い流されたならば、保持された物質をカラムから除去するためにその後に第２の移動相条件を用いることができる。
【０１５３】
いくつかの実施形態において、試料中の被分析物は、アルキル結合表面を含む充填剤を含むＳＰＥカラムに可逆的に保持させることができる。例えば、いくつかの実施形態において、Ｃ−８オンラインＳＰＥカラム（Ｐｈｅｎｏｍｅｎｅｘ，Ｉｎｃ．製のＯａｓｉｓ  ＨＬＢオンラインＳＰＥカラム／カートリッジ（２．１ｍｍ×２０ｍｍ）又は同等物など）は、質量分析の前に被分析物を濃縮するために用いることができる。いくつかの実施形態において、ＳＰＥカラムの使用は、洗浄溶液としてのＨＰＬＣ用０．２％水性ギ酸及び溶出溶液としてのアセトニトリル中０．２％ギ酸を用いて行われる。
【０１５４】
質量分析の前に用いることができる試料の精製の他の方法は、液体クロマトグラフィー（ＬＣ）である。液体クロマトグラフィー技術において、対象の被分析物が１つ又は複数の他の物質と比べて異なる速度で溶出する移動相条件下で試料をクロマトグラフ分析カラムに加えることによって、被分析物を精製することができる。そのような手順は、試料の１つ又は複数の他の成分と比べて対象の１つ又は複数の被分析物の量を高め得る。
【０１５５】
ＨＰＬＣを含む液体クロマトグラフィーの特定の方法は、比較的に遅い層流技術に依拠している。伝統的なＨＰＬＣ分析は、カラム中を通る試料の層流が試料からの対象の被分析物の分離の基礎であるカラム充填に依拠している。当業者は、そのようなカラムにおける分離が分配過程であることを理解し、Ｃペプチドとともに用いるのに適切であるＨＰＬＣを含むＬＣ、機器及びカラムを選択することができる。クロマトグラフ分析カラムは、一般的に化合物構成成分の分離（すなわち、分別）を促進するための媒体（すなわち、充填剤）を含む。媒体は、微細な粒子を含み得る。粒子は、一般的に、様々な化合物構成成分と相互作用して化合物構成成分の分離を促進する結合表面を含む。１つの適切な結合表面は、アルキル結合又はシアノ結合表面などの疎水性結合表面である。アルキル結合表面は、Ｃ−４、Ｃ−８、Ｃ−１２又はＣ−１８結合アルキル基を含み得る。いくつかの実施形態において、クロマトグラフ分析カラムは、モノリスＣ−１８カラムである。クロマトグラフ分析カラムは、試料を受け入れる入口部及び分別試料を含む溶出物を排出するための出口部を含む。試料は、入口部に直接、又はオンラインＳＰＥカラムなどのＳＰＥカラム若しくはＴＦＬＣカラムから供給することができる。いくつかの実施形態において、試料がＳＰＥ及び／又はＴＦＬＣ及び／又はＨＰＬＣカラムに達する前に試料中の粒子及びリン脂質を除去するために、オンラインフィルターをＳＰＥカラム及び又はＨＰＬＣカラムの前に用いることができる。
【０１５６】
１つの実施形態において、試料は、入口部においてＬＣカラムに加え、溶媒又は溶媒混合物により溶出し、出口部において排出することができる。対象の被分析物（単数又は複数）を溶出するための各種溶媒モードを選択することができる。例えば、液体クロマトグラフィーは、勾配モード、無勾配モード又は多型的（すなわち、混合）モードを用いて実施することができる。クロマトグラフィー中、物質の分離は、溶出液（「移動相」としても公知）、溶出モード、勾配条件、温度の選択等などの変数による影響を受ける。
【０１５７】
いくつかの実施形態において、試料中の被分析物をＨＰＬＣにより濃縮する。このＨＰＬＣは、モノリスＣ−１８カラムクロマトグラフシステム、例えば、Ｐｈｅｎｏｍｅｎｅｘ  Ｉｎｃ．製のＯｎｙｘモノリスＣ−１８カラム（５０×２．０ｍｍ）又は同等物を用いて実施することができる。特定の実施形態において、ＨＰＬＣは、溶媒ＡとしてのＨＰＬＣ用０．２％水性ギ酸及び溶媒Ｂとしてのアセトニトリル中０．２％ギ酸を用いて実施する。
【０１５８】
弁及び継手配管の注意深い選択により、手作業によるステップの必要なく１つのクロマトグラフィーカラムから次のカラムに物質が通るように２つ以上のクロマトグラフィーカラムを必要に応じて接続することができる。好ましい実施形態において、弁及び配管の選択は、必要なステップを実施するようにあらかじめプログラムされたコンピュータにより制御される。最も好ましくは、クロマトグラフィーシステムは、そのようなオンライン式で検出システム、例えば、ＭＳシステムにも接続されている。したがって、操作者が試料のトレーをオートサンプラーに取り付けることができ、残りの操作は、コンピュータ制御のもとに実施されて、選択されるすべての試料の精製及び分析が行われる結果となる。
【０１５９】
いくつかの実施形態において、質量分析の前の被分析物の精製のためにＴＦＬＣを用いることができる。そのような実施形態において、被分析物を捕捉するＴＦＬＣカラムを用いて試料を抽出することができる。次いで、被分析物を溶出し、オンラインで分析ＨＰＬＣカラムに移す。例えば、試料の抽出は、大粒子径（５０μｍ）充填剤を含むＴＦＬＣ抽出カートリッジを用いて達成することができる。このカラムから溶出した試料は、質量分析の前のさらなる精製のためにオンラインで分析ＨＰＬＣカラムに移すことができる。これらのクロマトグラフィー手順に含まれるステップを自動式で連結することができるので、被分析物の精製中の操作者の関与の必要性を最小限にすることができる。この特徴により、時間と費用の節約がもたらされ、操作者の誤りの機会が排除される可能性がある。
【０１６０】
いくつかの実施形態において、１つ又は複数の上述の精製技術は、複数の試料の同時処理を可能にするために、被分析物の精製のために並行して用いることができる。
【０１６１】
質量分析による被分析物の検出及び定量
質量分析は、分別試料をイオン化し、さらなる分析のために荷電分子を生成するためのイオン源を含む質量分析計を用いて実施される。様々な実施形態において、被分析物は、当業者に公知の方法によりイオン化することができる。例えば、被分析物のイオン化は、電子イオン化、化学イオン化、エレクトロスプレーイオン化（ＥＳＩ）、光子イオン化、大気圧化学イオン化（ＡＰＣＩ）、光イオン化、大気圧光イオン化（ＡＰＰＩ）、レーザーダイオード熱脱離（ＬＤＴＤ）、高速原子衝撃（ＦＡＢ）、液体二次イオン化（ＬＳＩ）、マトリックス支援レーザー脱離イオン化（ＭＡＬＤＩ）、電界イオン化、電界脱離、サーモスプレー／プラズマスプレーイオン化、表面エンハンス型レーザー脱離イオン化（ＳＥＬＤＩ）、誘導結合プラズマ（ＩＣＰ）及び粒子ビームイオン化により行うことができる。当業者は、イオン化法の選択は、測定される被分析物、試料の種類、検出器の種類、ポジティブ対ネガティブモードの選択等に基づいて決定することができることを理解し、被分析物はポジティブモードでイオン化されても、ネガティブモードでイオン化されてもよい。好ましい実施形態において、被分析物は、ＥＳＩによりポジティブイオンモードでイオン化される。
【０１６２】
質量分析技術において、一般的に、試料をイオン化した後、それにより生成した正又は負に荷電したイオンを分析して、質量電荷比（ｍ／ｚ）を決定することができる。ｍ／ｚを決定するための種々の分析計は、四重極型分析計、イオントラップ型分析計、飛行時間型分析計、フーリエ変換イオンサイクロトロン共鳴質量分析計及びオービトラップ型分析計を含む。いくつかの具体例としてのイオントラップ方法は、Ｂａｒｔｏｌｕｃｃｉら、Ｒａｐｉｄ  Ｃｏｍｍｕｎ．Ｍａｓｓ  Ｓｐｅｃｔｒｏｍ．、２０００年、１４巻、９６７〜７３頁に記載されている。
【０１６３】
イオンは、数種の検出モードを用いて検出することができる。例えば、選択されるイオンは、すなわち、選択イオンモニタリングモード（ＳＩＭ）を用いて検出することができ、又は代わりになるべきものとして、衝突誘起解離若しくはニュートラルロスに起因する質量遷移を例えば、多重反応モニタリング（ＭＲＭ）若しくは選択反応モニタリング（ＳＲＭ）によりモニターすることができる。いくつかの実施形態において、質量電荷比を四重極型分析計を用いて決定する。「四重極」又は「四重極型イオントラップ」機器において、振動高周波電界におけるイオンは、電極間に印加されたＤＣ電位、ＲＦシグナルの振幅及び質量／電荷比に比例する力を受ける。電圧及び振幅は、特定の質量／電荷比を有するイオンのみが四重極を縦断するが、他のすべてのイオンは偏向させられるように選択できる。したがって、四重極機器は、機器に注入されるイオンの「マスフィルター」及び「質量検出器」の両方として機能し得る。
【０１６４】
イオンが検出器に衝突するとき、それらは、デジタル信号に変換される電子のパルスを生じる。取得されたデータは、コンピュータに転送され、コンピュータは、収集されたイオンの計数を時間に対してプロットする。得られる質量クロマトグラムは、伝統的なＨＰＬＣ−ＭＳ法で得られるクロマトグラムに類似している。特定のイオンに対応するピーク下面積又はそのようなピークの振幅を測定し、対象の被分析物の量と関連させることができる。特定の実施形態において、フラグメントイオン（単数又は複数）及び／又は前駆イオンのピークの曲線下面積又は振幅を測定して、被分析物の量を決定する。所定のイオンの相対存在量は、内部又は外部分子標準の１つ又は複数のイオンのピークに基づく較正標準曲線を用いて最初の被分析物の絶対量に変換することができる。
【０１６５】
特定の質量分析計を用いるＭＳ技術の分解能を「タンデム質量分析」又は「ＭＳ／ＭＳ」により向上させることができる。この技術において、対象の分子から得られる前駆イオン（親イオンとも呼ばれる）は、ＭＳ機器によりフィルターすることができ、前駆イオンは、その後フラグメント化されて、第２のＭＳ手順で分析される１つ又は複数のフラグメントイオン（娘イオン又はプロダクトイオンとも呼ばれる）を生じる。前駆イオンの注意深い選択により、特定の被分析物により生成するイオンのみがフラグメント化チャンバーに通され、そこでの不活性ガスの原子との衝突により、フラグメントイオンが生成する。前駆及びフラグメントイオンの両方が一連の所定のイオン化／フラグメント化条件下で再現性よく生成するので、ＭＳ／ＭＳ技術は、極めて強力な分析ツールとなり得る。例えば、フィルトレーション／フラグメンテーションの組み合わせは、妨害物質を除去するために用いることができ、生物学的試料のような複雑な試料に特に有用であり得る。特定の実施形態において、マルチプル四重極型分析計を含む質量分析機器（トリプル四重極型機器など）を用いてタンデム質量分析を行う。
【０１６６】
ＭＳ／ＭＳ技術を用いる特定の実施形態において、前駆イオンをさらなるフラグメント化のために単離し、衝突活性化解離（ＣＡＤ）を用いて、後続の検出のために前駆イオンからフラグメントイオンを生成する。ＣＡＤにおいて、前駆イオンは、不活性ガスとの衝突によりエネルギーを獲得し、その後「単分子分解」と呼ばれる過程によりフラグメントになる。振動エネルギーの増加によりイオン内の特定の結合を切断できるように、十分なエネルギーが前駆イオンに蓄積されなければならない。
【０１６７】
いくつかの実施形態において、試料中の被分析物は、次のようにＭＳ／ＭＳを用いて検出され、及び／又は定量される。最初に試料をＳＰＥに、次いで、液体クロマトグラフィー、好ましくはＨＰＬＣにかけることにより、試料中の被分析物が濃縮され、クロマトグラフ分析カラムからの液体溶媒の流れがＭＳ／ＭＳ分析計の加熱ネブライザーインターフェースに入り、溶媒／被分析物混合物がインターフェースの加熱荷電チューブ中で蒸気に変換される。これらの過程において、被分析物がイオン化される。イオン、例えば、前駆イオンは、機器の開口部を通過し、第１の四重極に入る。四重極１及び３（Ｑ１及びＱ３）は、イオンの質量電荷比（ｍ／ｚ）に基づいてイオンの選択（すなわち、Ｑ１及びＱ３におけるそれぞれ「前駆」及び「フラグメント」イオンの選択）を可能にするマスフィルターである。四重極２（Ｑ２）は、イオンがフラグメント化されるコリジョンセルである。質量分析計の第１の四重極（Ｑ１）は、被分析物イオンのｍ／ｚを有する分子を選択する。正しいｍ／ｚを有する前駆イオンは、コリジョンチャンバー（Ｑ２）内に通されるが、他のｍ／ｚを有する不要なイオンは、四重極の側面に衝突し、除去される。Ｑ２に入った前駆イオンは、中性ガス分子（アルゴン分子など）と衝突し、フラグメントになる。生成したフラグメントイオンは、四重極３（Ｑ３）に通され、ここでフラグメントイオンが検出のために選択される。
【０１６８】
特定の実施形態において用いることができるタンデム質量分析機器を操作する代替モードは、プロダクトイオンスキャン法及び前駆イオンスキャン法を含む。これらの操作モードの説明については、例えば、Ｅ．Ｍｉｃｈａｅｌ  Ｔｈｕｒｍａｎら、Ｃｈｒｏｍａｔｏｇｒａｐｈｉｃ−Ｍａｓｓ  Ｓｐｅｃｔｒｏｍｅｔｒｉｃ  Ｆｏｏｄ  Ａｎａｌｙｓｉｓ  ｆｏｒ  Ｔｒａｃｅ  Ｄｅｔｅｒｍｉｎａｔｉｏｎ  ｏｆ  Ｐｅｓｔｉｃｉｄｅ  Ｒｅｓｉｄｕｅｓ、Ｃｈａｐｔｅｒ  ８（Ａｍａｄｅｏ  Ｒ．Ｆｅｒｎａｎｄｅｚ−Ａｌｂａ編、Ｅｌｓｅｖｉｅｒ  ２００５）（３８７）を参照のこと。
【０１６９】
他の実施形態において、高分解能／高精度質量分析計は、本発明の方法による被分析物の定量的分析に用いることができる。定量的結果の容認できる精度を達成するために、質量分析計は、対象のイオンについて約５０ｐｐｍ又はそれ以下の正確度で１０，０００又はそれ以上の分解能（ＦＷＨＭ）を示すことができなければならない。好ましくは質量分析計は、約５ｐｐｍ又はそれ以下の正確度で１８，０００又はそれ以上の分解能（ＦＷＨＭ）、例えば、２０，０００又はそれ以上の分解能（ＦＷＨＭ）と約３ｐｐｍ又はそれ以下の正確度など、例えば、２５，０００又はそれ以上の分解能（ＦＷＨＭ）と約３ｐｐｍ又はそれ以下の正確度などを示す。被分析物イオンについて必要なレベルの性能を示すことができる３つの具体例としての分析計は、オービトラップ質量分析計、特定のＴＯＦ質量分析計及びフーリエ変換イオンサイクロトロン共鳴質量分析計である。
【０１７０】
炭素、酸素及び窒素などの生物学的活性分子に見いだされる元素は、多種の同位体で天然に存在する。例えば、ほとんどの炭素は、１２Ｃとして存在するが、すべての天然に存在する炭素の約１％は、１３Ｃとして存在する。したがって、少なくとも１つの炭素原子を含有する天然に存在する分子の一部分は、少なくとも１つの１３Ｃ原子を含有することになる。天然に存在する元素同位体が分子に含まれることにより、複数の分子同位体が生じる。分子同位体の質量の差は、少なくとも１原子質量単位（ａｍｕ）である。これは、元素同位体が少なくとも１つの中性子異なるからである（１つの中性子の質量≒１ａｍｕ）。分子同位体が多荷電状態にイオン化される場合、質量分析での検出が質量電荷比（ｍ／ｚ）に基づいているため、同位体の間の質量の差異は、識別することが困難になり得る。例えば、両方が５＋状態にイオン化される、質量が１ａｍｕ異なる２つの同位体は、わずか０．２のそれらのｍ／ｚの差を示す。高分解能／高精度質量分析は、高度に多荷電イオン（±２、±３、±４、±５又はより高度の電荷を有するイオンなど）の同位体を識別することができる。
【０１７１】
天然に存在する元素同位体のため、すべての分子イオン（十分に感度の高い質量分析機器により分析した場合、それぞれが個別に検出できるスペクトルピークを生じ得る）について複数の同位体が一般的に存在する。複数の同位体のｍ／ｚ比及び相対存在量は、分子イオンの同位体シグニチャを集合的に含む。いくつかの実施形態において、２つ以上の分子同位体のｍ／ｚ比及び相対存在量は、検討中の分子イオンの同一性を確認するために利用することができる。いくつかの実施形態において、１つ又は複数の同位体の質量分析ピークを用いて分子イオンを定量する。いくつかの関連実施形態において、１つの同位体の単一質量分析ピークを用いて分子イオンを定量する。他の関連実施形態において、複数の同位体ピークを用いて分子イオンを定量する。これらの後者の実施形態において、複数の同位体ピークは、適切な数学的処理にかけることができる。いくつかの数学的処理は、当技術分野で公知であり、多重ピーク下面積の合計又は多重ピークによる応答の平均を含むが、これらに限定されない。しかし、イオンの同位体の変異体について観測される正確な質量は、機器の変動のためにわずかに変化し得ることを注意すること。
【０１７２】
いくつかの実施形態において、試料中の被分析物の量を定性的に評価するために１つ又は複数のイオンの相対存在量を高分解能／高精度質量分析計により測定する。高分解能オービトラップ分析計の使用は、様々な被分析物の定性及び定量分析について報告された。例えば、米国特許出願公開第２００８／０１１８９３２号（２００７年１１月９日出願）、Ｂｒｅｄｅｈｏｅｆｔら、Ｒａｐｉｄ  Ｃｏｍｍｕｎ．Ｍａｓｓ  Ｓｐｅｃｔｒｏｍ．、２００８年、２２巻、４７７〜４８５頁、Ｌｅ  Ｂｒｅｔｏｎら、Ｒａｐｉｄ  Ｃｏｍｍｕｎ．Ｍａｓｓ  Ｓｐｅｃｔｒｏｍ．、２００８年、２２巻、３１３０〜３６頁、Ｔｈｅｖｉｓら、Ｍａｓｓ  Ｓｐｅｃｔｒｏｍ．Ｒｅｖｉｅｗｓ、２００８年、２７巻、３５〜５０頁、Ｔｈｏｍａｓら、Ｊ．Ｍａｓｓ  Ｓｐｅｃｔｒｏｍ．、２００８年、４３巻、９０８〜１５頁、Ｓｃｈｅｎｋら、ＢＭＣ  Ｍｅｄｉｃａｌ  Ｇｅｎｏｍｉｃｓ、２００８年、１巻、４１頁及びＯｌｓｅｎら、Ｎａｔｕｒｅ  Ｍｅｔｈｏｄｓ、２００７年、４巻、７０９〜１２頁を参照のこと。
【０１７３】
被分析物アッセイの結果は、当技術分野で公知の多くの方法により最初の試料中の被分析物の量に関連付けることができる。例えば、サンプリング及び分析パラメーターが注意深く管理されているならば、所定のイオンの相対存在量は、当該相対存在量を最初の分子の絶対量に換算する表と比較することができる。或いは、外部標準を試料とともに実施することができ、標準曲線をそれらの標準から得たイオンに基づいて作成する。そのような標準曲線を用いて、所定のイオンの相対存在量を最初の分子の絶対量に換算することができる。特定の好ましい実施形態において、内部標準を用いて被分析物の量を計算するための標準曲線を作成する。そのような標準曲線を作成し、用いる方法は、当技術分野で周知であり、当業者は適切な内部標準を選択することができる。例えば、好ましい実施形態において、１つ又は複数の形の同位体標識被分析物を内部標準として用いることができる。イオンの量を最初の分子の量に関連させる多くの他の方法は、当業者に周知である。
【０１７４】
本明細書で用いる場合、「同位体標識」は、質量分析技術により分析するとき、非標識分子と比べて標識分子の質量シフトをもたらす。適切な標識の例としては、重水素（２Ｈ）、１３Ｃ及び１５Ｎなどがある。１つ又は複数の同位体標識を分子における１つ又は複数の位置に組み込むことができ、１つ又は複数の種類の同位体標識を同じ同位体標識分子に用いることができる。
【０１７５】
上述の方法のいずれかの１つ又は複数のステップは、自動装置を用いて実施することができる。特定の実施形態において、１つ又は複数の精製ステップをオンラインで実施し、より好ましくは精製及び質量分析ステップのすべてをオンライン式で実施することができる。
【０１７６】
以下の実施例は、本発明を説明する役割を果たす。これらの実施例は、本方法の範囲を制限するものではない。
【実施例】
【０１７７】
［実施例１］ステロイドの質量分析アッセイ
２０μＬ  ＭＩＴＲＡ（登録商標）チップから患者試料を直接抽出した。チップをＮＵＮＣ（登録商標）９６ディープウエルプレート上に直接のせた。次いで５００μＬの抽出溶媒（５０／５０メタノール／酢酸エチル中１Ｍ  ＮＨ４ＯＨ）及び５０μＬの内部標準（安定同位体を含有する）並びに抽出緩衝液を各ウエルに加えた。プレートを窒素中で乾燥する前に室温で１時間混合した。乾燥ステップの後、水性酸及び有機物溶液（２００μＬの５０／５０水／メタノール中０．１％ＦＡ）を各ウエルに加えることによって試料を溶液に戻した。プレートを混合し、次いで濾過する。１００μＬの濾液を、ＡＰＣＩ（大気圧化学イオン化）源を備え、ポジティブイオンモードのＬＣ−ＭＳ／ＭＳシステムに注入した。以下の試薬を用いた：移動相Ａ−水中０．１％ギ酸；移動相Ｂ−８０／２０メタノール／アセトニトリル；抽出溶媒：５０／５０メタノール／酢酸エチル中１Ｍ水酸化アンモニウム。
【０１７８】
Ｔｈｅｒｍｏ  Ｓｃｉｅｎｔｉｆｉｃ製のＡＲＩＡ（登録商標）ＴＸ−４システムを液体クロマトグラフィーに用い、逆相分析カラム（ＫＩＮＥＴＥＸ（登録商標）Ｃ１８）であるＨＰＬＣカラムにより分離を遂行した。用いた検出器は、ＡＢ  Ｓｃｉｅｘ製のＱＴＲＡＰ（登録商標）６５００であった。
【０１７９】
１つの２０μＬ  ＭＩＴＲＡ（登録商標）チップ又はＤＢＳの２つの６ｍｍ打抜き部分を用いて以下のステロイドを誘導体化されていない状態で検出し、定量した：コルチゾール、コルチゾン、プロゲステロン、１７−ヒドロキシプロゲステロン、アンドロステンジオン、テストステロン、デヒドロエピアンドロステロン、コルチコステロン、デオキシコルチコステロン、１１−デオキシコルチゾール、プレグネノロン、１７−ヒドロキシプレグネノロン及び２１−デオキシコルチゾール。図１。
【０１８０】
質量分析により分析するために以下の質量遷移を用いた。
【０１８１】
【表Ａ】
2018515796.tif 000003
【０１８２】
図２〜１７に成人男性、成人女性及び小児における様々なステロイドのレベルを示す。
【０１８３】
表１に先天性副腎過形成酵素欠損の特性の識別を示す。
【０１８４】
【表１】
2018515796.tif 000004
【０１８５】
分析感度：定量限界（ＬＯＱ）は、測定が定量的に意味があるようになる点である。ＬＯＱの許容基準は、変動係数（ＣＶ）が２０％以下である最低の再現性のある濃度と定義される。予備的ＬＯＱを決定するために、濃度が異なる試料のいくつかの複製物を数日間にわたり分析にかけた。予備的分析測定可能範囲は、直線範囲試験において以下のように決定された。
【０１８６】
【表２】
2018515796.tif 000005
【０１８７】
表３に古典的先天性副腎過形成を引き起こす酵素欠損の鑑別診断を示す。
【０１８８】
【表３】
2018515796.tif 000006
【０１８９】
図１８に５０〜１０，０００ｎｇ／ｄＬのテストステロンの標準直線性を示す。
【０１９０】
［実施例２］抗腫瘍薬
このアッセイにおいては、２０μＬ  ＭＩＴＲＡ（登録商標）チップを用いて、患者試料を採取した。チップを内部標準中にあらかじめ浸漬し、２〜２４時間乾燥した。
【０１９１】
チップを較正標準中に浸漬した。試料を５００μＬの溶出緩衝液で溶出し、乾燥した。次いで試料を２００μＬの負荷緩衝液に再懸濁した。９０μＬの試料を定量のためにＬＣ−ＭＳ／ＭＳに注入した。
【０１９２】
図１９にタモキシフェン及びその代謝物のクロマトグラムを示す。
【０１９３】
図２０にレトロゾール、エキセメスタン及びアナストロゾールのクロマトグラムを示す。
【０１９４】
［実施例３］アヘン剤
このアッセイにおいては、全血を遠心分離し、種々の濃度レベルのアヘン剤標準をスパイクして、アッセイキャリブレータとした。
【０１９５】
１０μＬ及び１５μＬのＭＩＴＲＡ（登録商標）チップを完全に飽和するまで全血キャリブレータ中に浸漬した。全血キャリブレータで飽和したチップを室温で少なくとも２．５時間乾燥した。
【０１９６】
４００μＬの抽出緩衝液（メタノール中６５％酢酸エチル：０．１％ギ酸中重水素化アヘン剤内部標準）を用いて、ボルテックスミキサー上のチップからアヘン剤を４０分間抽出した。或いは５００μＬの６０：４０酢酸エチル及び１％ギ酸含有メタノールを用いて、ボルテックスミキサー上のチップからアヘン剤を８５０ｐｐｍで１時間抽出した。次いでチップを捨て、抽出試料をＰｏｒｖａｉｒにより６０℃窒素ガス中で完全に乾燥した。次いで試料を水中３０％ＭｅＯＨ：０．１％ＦＡに再懸濁し、ボルテックスした。或いは、試料を２３０μＬの５０：５０メタノール及び０．１％ギ酸含有水に再懸濁した。次いでＴｈｅｒｍｏ  Ｕｌｔｒａ三連四重極質量分析計におけるＥＳＩポジティブモードでの定量のために試料をＬＣ−ＭＳ／ＭＳに注入した。移動相Ａには、水中０．１％ギ酸を用いた。移動相Ｂには、１００％アセトニトリルを用いた。Ａｇｉｌｅｎｔフェニルヘキシル３×１００ｍｍカラムを用いた。分析時間は、９分であった。
【０１９７】
表４に各アヘン剤の直線範囲を１０μＬチップと１５μＬチップとを対比して示す。
【０１９８】
【表４】
2018515796.tif 000007
【０１９９】
図２１〜２４にアヘン剤及び対応する内部標準の具体例としてのクロマトグラムを示す。
【０２００】
図２５〜２８にグルクロニダーゼ加水分解により２０μＬ  ＭＩＴＲＡ（登録商標）チップを用いて患者尿から得られた（それぞれ）モルヒネ、コデイン、ヒドロモルフォン及びオキシコドンデータを示す。
【０２０１】
図２９に５０μＬ  ＭＩＴＲＡ（登録商標）チップを用いて患者唾液から得られたオキシコドンデータを示す。
【０２０２】
図３０及び３１にそれぞれブプレノルフィン及びノルフェンタニルのヘマトクリット試験の結果を示す。
【０２０３】
［実施例４］ベンゾジアゼピン
このアッセイにおいては、全血を遠心分離し、種々の濃度レベルのベンゾジアゼピン標準をスパイクして、アッセイキャリブレータとした。
【０２０４】
１０μＬ及び２０μＬのＭＩＴＲＡ（登録商標）チップを完全に飽和するまで全血キャリブレータ中に浸漬した。全血キャリブレータで飽和したチップを室温で少なくとも２．５時間乾燥した。
【０２０５】
４００μＬの抽出緩衝液（メタノール中６５％酢酸エチル：０．１％ギ酸中重水素化ベンゾジアゼピン内部標準）を用いて、ボルテックスミキサー上のチップからアヘン剤を４０分間抽出した。或いは５００μＬの６０：４０酢酸エチル及び１％ギ酸（又は代わるべきものとして、０．１％ギ酸）含有メタノールを用いて、ボルテックスミキサー上のチップからベンゾジアゼピンを８５０ｒｐｍで１時間抽出した。次いでチップを捨て、抽出試料をＰｏｒｖａｉｒにより６０℃窒素ガス中で完全に乾燥した。次いで試料を水中３０％ＭｅＯＨ：０．１％ギ酸に再懸濁し、ボルテックスした。或いは、試料を２３０μＬの５０：５０メタノール及び０．１％ギ酸含有水に再懸濁した。或いは、試料を２００μＬの１０％メタノール及び９０％水中０．１％ギ酸に再懸濁した。試料を１２００ｒｐｍで５〜３０分間ボルテックスした。次いでＴｈｅｒｍｏ  Ｕｌｔｒａ三連四重極質量分析計におけるＥＳＩポジティブモードでの定量のために試料をＬＣ−ＭＳ／ＭＳに注入した。移動相Ａには、水中０．１％ギ酸を用いた。或いは、ｐＨ５．２の２０ｍＭ酢酸アンモニウムを用いた。移動相Ｂには、１００％アセトニトリルを用いた。Ａｇｉｌｅｎｔフェニルヘキシル３×１００ｍｍカラムを用いた。或いは、ＢＤＳ  Ｈｙｐｅｒｓｉｌ  Ｃ１８、１００×３ｍｍ、３μカラムを用いた。分析時間は、６分であった。
【０２０６】
０．７ｍＬ／分の流量が得られ、０〜６０秒−９０％Ａ：１０％Ｂ；６０〜２１０秒−３０％Ｂへの勾配；２１０〜３６０秒−６５％Ｂへの勾配；３６０〜４２０秒−１００％Ｂへの勾配；４２０〜４８０秒−１００％Ｂ保持；４８０〜６００秒−９０％Ａ：１０％Ｂ保持とした。
【０２０７】
表５に２０μＬチップにおいて分析したベンゾジアゼピンを示す。
【０２０８】
【表５】
2018515796.tif 000008
【０２０９】
表６に各アヘン剤の直線範囲を１０μＬチップと２０μＬチップとを対比して示す。
【０２１０】
【表６】
2018515796.tif 000009
【０２１１】
［実施例５］バルビツレート
このアッセイにおいては、バルビツレートについて陰性である尿試料に種々の濃度レベルのバルビツレート標準をスパイクして、アッセイキャリブレータとした。
【０２１２】
２０μＬのＭＩＴＲＡ（登録商標）チップを完全に飽和するまで尿キャリブレータ中に浸漬した。尿キャリブレータで飽和したチップを室温で乾燥した。
【０２１３】
試料をメタノールで１時間抽出した。抽出試料をサーモミキサー［thermomixer］上で６０℃で１時間加水分解した。次いで試料を遠心分離し、上清を定量のためにＬＣ−ＭＳ／ＭＳに注入した。液体クロマトグラフィー分析時間は、５．７５分であった。取得ウインドウは、２．５分であった。アッセイは、２種類の２．７５分ごとのデータの取得が可能であった。０．０３％ＮＨ４ＯＨを移動相Ａに用いた。９０％ＣＡＮ及び１０％ＭＰ  Ａを移動相Ｂに用いた。
【０２１４】
図３２及び３３にバルビツレート（セコバルビタール、アンモバルビタール、ペントバルビタール及びチオペンタール）をスパイクした陰性尿の結果を示す。
【０２１５】
図３４〜３８にフェノバルビタール及びブタルビタールについて定量した様々な患者試料の結果を示す。
【０２１６】
［実施例６］ＴＨＣ
このアッセイにおいては、患者尿試料を分析した。
【０２１７】
２０μＬのＭＩＴＲＡ（登録商標）チップを完全に飽和するまで尿試料中に浸漬した。尿試料で飽和したチップを室温で乾燥した。
【０２１８】
試料を９００ｒｐｍで１時間ボルテックスすることによって１００％メタノールで抽出した。試料を完全に乾燥するまで窒素空気で６０℃で乾燥した。試料をｐＨ４．５の２００μＬの２０ｍＭクエン酸ナトリウム緩衝液に再懸濁した。グルクロニダーゼを試料に加え、サーモミキサー上で６０℃で４０分間インキュベートした。試料を５５００ｒｐｍで３分間遠心分離し、上清を定量のためにＬＣ−ＭＳ／ＭＳ（ＡＢＩ５５００）に注入した。
【０２１９】
図３９に２０μＬチップ及びグルクロニダーゼ加水分解を用いた患者試料中のＴＨＣカルボキシ代謝物の分析の結果を示す。
【０２２０】
［実施例７］
抗てんかん薬
このアッセイにおいては、患者全血試料を分析した。
【０２２１】
２０μＬのＭＩＴＲＡ（登録商標）チップを完全に飽和するまで全血試料中に浸漬した。全血試料で飽和したチップを室温で乾燥した。
【０２２２】
試料を９０％メタノール及び１０％水で１時間抽出した。試料を完全に乾燥するまで窒素空気で６０℃で乾燥した。試料を水中０．１％ギ酸に再懸濁し、定量のためにＬＣ−ＭＳ／ＭＳに注入した。５μＬをＴｈｅｒｍｏ  Ｆｉｓｈｅｒ  Ｑｕａｎｔｉｖａに注入した。Ｔｈｅｒｍｏ  Ｆｉｓｈｅｒ  Ｂｅｔａ−Ｂａｓｉｃ  Ｃ１８、１００ｘ３ｍｍ分析カラムを用いた。移動相Ａ：０．１％ＦＡ；移動相Ｂ：メタノール。
【０２２３】
表７に質量分析による分析に用いた質量遷移を示す。
【０２２４】
【表７】
2018515796.tif 000010
【０２２５】
表８に分析に用いた較正標準を示す。
【０２２６】
【表８】
2018515796.tif 000011
【０２２７】
ラン内精度：許容基準：ＣＶ％は、≦ＴＥａ／２の許容できる値未満であるべきである。このアッセイのＴＥａは、３０％であると決定される。各品質管理の１０個の複製物を単一アッセイ内で、低、中及び高の順序で分析した。
【０２２８】
表９にエトスキシミドのラン内精度を示す。エトスキシミドのＣＶ％は、３つの品質管理レベルすべてにわたり５．１６％〜２．２３％の範囲であった。
【０２２９】
【表９】
2018515796.tif 000012
【０２３０】
表１０にガバペンチンのラン内精度を示す。ガバペンチンのＣＶ％は、３つの品質管理レベルすべてにわたり７．０１％〜３．６１％の範囲であった。
【０２３１】
【表１０】
2018515796.tif 000013
【０２３２】
表１１にレベチラセタムのラン内精度を示す。レベチラセタムのＣＶ％は、３つの品質管理レベルすべてにわたり８．４６％〜４．１７％の範囲であった。
【０２３３】
【表１１】
2018515796.tif 000014
【０２３４】
表１２にプレガバリンのラン内精度を示す。プレガバリンのＣＶ％は、３つの品質管理レベルすべてにわたり６．１０％〜４．０８％の範囲であった。
【０２３５】
【表１２】
2018515796.tif 000015
【０２３６】
表１３にゾニサミドのラン内精度を示す。ゾニサミドのＣＶ％は、３つの品質管理レベルすべてにわたり６．３５％〜４．８７％の範囲であった。
【０２３７】
【表１３】
2018515796.tif 000016
【０２３８】
表１４にラモトリギンのラン内精度を示す。ラモトリギンのＣＶ％は、３つの品質管理レベルすべてにわたり６．７７％〜６．１０％の範囲であった。
【０２３９】
【表１４】
2018515796.tif 000017
【０２４０】
表１５にラコサミドのラン内精度を示す。ラコサミドのＣＶ％は、３つの品質管理レベルすべてにわたり５．７８％〜３．２６％の範囲であった。
【０２４１】
【表１５】
2018515796.tif 000018
【０２４２】
表１６にルフィナミドのラン内精度を示す。ルフィナミドのＣＶ％は、３つの品質管理レベルすべてにわたり９．１２％〜５．７８％の範囲であった。
【０２４３】
【表１６】
2018515796.tif 000019
【０２４４】
表１７にフェルバメートのラン内精度を示す。フェルバメートのＣＶ％は、３つの品質管理レベルすべてにわたり８．６３％〜５．８９％の範囲であった。
【０２４５】
【表１７】
2018515796.tif 000020
【０２４６】
表１８に１０，１１−カルバマゼピンエポキシドのラン内精度を示す。１０，１１−カルバマゼピンエポキシドのＣＶ％は、３つの品質管理レベルすべてにわたり８．４６％〜５．８９％の範囲であった。
【０２４７】
【表１８】
2018515796.tif 000021
【０２４８】
表１９にフェニトインのラン内精度を示す。フェニトインのＣＶ％は、３つの品質管理レベルすべてにわたり８．４０％〜７．２６％の範囲であった。
【０２４９】
【表１９】
2018515796.tif 000022
【０２５０】
表２０にカルバマゼピンのラン内精度を示す。カルバマゼピンのＣＶ％は、３つの品質管理レベルすべてにわたり９．４５％〜４．９３％の範囲であった。
【０２５１】
【表２０】
2018515796.tif 000023
【０２５２】
表２１にエスリカルバマゼピンのラン内精度を示す。エスリカルバマゼピンのＣＶ％は、３つの品質管理レベルすべてにわたり１０．６５％〜３．７４％の範囲であった。
【０２５３】
【表２１】
2018515796.tif 000024
【０２５４】
表２２にチアガビンのラン内精度を示す。チアガビンのＣＶ％は、３つの品質管理レベルすべてにわたり１３．１８％〜７．０５％の範囲であった。
【０２５５】
【表２２】
2018515796.tif 000025
【０２５６】
総ラン精度：許容基準：総ＳＤが≧１／２ＴＥａであるならば容認できない又は総ＳＤが規定のＳＤ若しくはＣＶ未満でなければならない。ＣＶ％は、≦ＴＥａ／２の許容できる値未満であるべきである。このアッセイのＴＥａは、３０％であると決定される。
【０２５７】
エトスキシミドのＣＶ％は、３つの品質管理レベルすべてにわたり１２．８４％〜１．１１％の範囲であった。
【０２５８】
ガバペンチンのＣＶ％は、３つの品質管理レベルすべてにわたり１０．４３％〜３．０５％の範囲であった。
【０２５９】
レベチラセタムのＣＶ％は、３つの品質管理レベルすべてにわたり８．４８％〜２．２８％の範囲であった。
【０２６０】
プレガバリンのＣＶ％は、３つの品質管理レベルすべてにわたり１０．２１％〜２．４３％の範囲であった。
【０２６１】
ゾニサミドのＣＶ％は、３つの品質管理レベルすべてにわたり１２．４４％〜１．４４％の範囲であった。
【０２６２】
ラモトリギンのＣＶ％は、３つの品質管理レベルすべてにわたり１２．１７％〜３．８０％の範囲であった。
【０２６３】
ラコサミドのＣＶ％は、３つの品質管理レベルすべてにわたり１２．１７％〜３．８０％の範囲であった。
【０２６４】
ルフィナミドのＣＶ％は、３つの品質管理レベルすべてにわたり１２．０１％〜２．５０％の範囲であった。
【０２６５】
フェルバメートのＣＶ％は、３つの品質管理レベルすべてにわたり７．９２％〜２．０３％の範囲であった。
【０２６６】
１０，１１−カルバマゼピンエポキシドのＣＶ％は、３つの品質管理レベルすべてにわたり１２．４４％〜１．７６％の範囲であった。
【０２６７】
フェニトインのＣＶ％は、３つの品質管理レベルすべてにわたり１０．９２％〜２．５５％の範囲であった。
【０２６８】
カルバマゼピンのＣＶ％は、３つの品質管理レベルすべてにわたり１２．６４％〜２．０５％の範囲であった。
【０２６９】
エスリカルバマゼピンのＣＶ％は、３つの品質管理レベルすべてにわたり１３．４９％〜３．６０％の範囲であった。
【０２７０】
チアガビンのＣＶ％は、３つの品質管理レベルすべてにわたり１６．１１％〜０％の範囲であった。
【０２７１】
分析感度：検出限界（ＬＯＤ）−計算：ＬＯＤ＝ブランクの平均値＋４ＳＤ。以下は、ＬＯＤである：エトスキシミド−３．２４ｎｇ／ｍｌ；レベチラセタム−０．２２ｎｇ／ｍｌ；プレガバリン−０．２９ｎｇ／ｍｌ；ラモトリギン−０．１７ｎｇ／ｍｌ；ラコサミド−０．４７ｎｇ／ｍｌ。
【０２７２】
正確度：既知標準の回収−許容基準：完全な回収の欠如による誤差（回収された量マイナス加えられた量）は、ＴＥａが３０％である場合２ＳＤ又は１５％ＣＶ以下であるべきである。３つの全血試料に１０、３０及び６０μｇ／ｍＬの濃度でスパイクし、各スパイクレベルを３連でアッセイした。Ｍｉｔｒａマイクロサンプリングデバイスで全血が採取され、乾燥されるという方法のため、希釈分析は存在しない。
【０２７３】
表２３にエトスキシミドの正確度を示す。
【０２７４】
【表２３】
2018515796.tif 000026
【０２７５】
表２４にレベチラセタムの正確度を示す。
【０２７６】
【表２４】
2018515796.tif 000027
【０２７７】
表２５にプレガバリンの正確度を示す。
【０２７８】
【表２５】
2018515796.tif 000028
【０２７９】
表２６にゾニサミドの正確度を示す。
【０２８０】
【表２６】
2018515796.tif 000029
【０２８１】
表２７にラモトリギンの正確度を示す。
【０２８２】
【表２７】
2018515796.tif 000030
【０２８３】
表２８にラコサミドの正確度を示す。
【０２８４】
【表２８】
2018515796.tif 000031
【０２８５】
表２９にルフィナミドの正確度を示す。
【０２８６】
【表２９】
2018515796.tif 000032
【０２８７】
表３０にフェルバメートの正確度を示す。
【０２８８】
【表３０】
2018515796.tif 000033
【０２８９】
表３１にカルバマゼピンの正確度を示す。
【０２９０】
【表３１】
2018515796.tif 000034
【０２９１】
表３２にフェニトインの正確度を示す。
【０２９２】
【表３２】
2018515796.tif 000035
【０２９３】
表３３にカルバマゼピンの正確度を示す。
【０２９４】
【表３３】
2018515796.tif 000036
【０２９５】
表３４にエスリカルバマゼピンの正確度を示す。
【０２９６】
【表３４】
2018515796.tif 000037
【０２９７】
表３５にチアガビンの正確度を示す。
【０２９８】
【表３５】
2018515796.tif 000038
【０２９９】
図４０にガバペンチン及びルフィナミドのヘマトクリット試験の結果を示す。
【０３００】
［実施例８］
２５ＯＨヒドロキシビタミンＤ
このアッセイにおいては、患者全血試料を分析した。
【０３０１】
１０μＬの内部標準及び５００μＬの抽出溶媒（５０：５０酢酸エチル及びメタノール中１Ｍ水酸化アンモニウム溶液）を清浄な９６ウエルプレートに加えることによってヒト血液中のビタミンＤを２０μＬのＭｉｔｒａマイクロサンプリングデバイスから抽出した。Ｍｉｔｒａチップを内部標準〔IS〕／抽出溶媒混合物と共にウエル中に落下させた。プレートを加熱プレートミキサー／ボルテクサーで８００ｒｐｍ、４５℃で１時間混合した（Ｅｐｐｅｎｄｏｒｆ  ｍｉｘｍａｔｅ）。混合試料プレートにおける抽出溶媒を加熱窒素中で６０℃で約１５分間乾燥して、試料を濃縮した。乾燥が完了したとき、１００μＬの０．１ｎｇ／ｍＬのアセトニトリル中誘導体化試薬（ＰＴＡＤ）を試料ウエルに加え、室温で１時間インキュベートした。１００μＬのＨＰＬＣ等級水をウエルに加えて反応を止めた。次いで試料を、清浄な９６ウエル収集プレートがその下に固定された９６ウエルフィルタープレート（Ｃａｐｔｉｖａ  ＮＤ）に移した。フィルタープレートに陽圧をかけて、濾液を通過させた。２５μＬの試料をＬＣ−ＭＳＭＳシステムに注入した。
【０３０２】
分離は、逆相Ｃ１８カラム並びに０．１％水性ギ酸（移動相Ａ）並びに５０：５０メタノール及びアセトニトリル（移動相Ｂ）からなる移動相を用いることによって達成された。Ａｇｉｌｅｎｔ  ＳＬポンプを装着したＡｒｉａ  ＬＸ−システムを加熱エレクトロスプレーイオン（ＨＥＳＩ）源を備えた、検出器としてのＴＳＱ  Ｑｕａｎｔｕｍ  Ｕｌｔｒａ三連四重極質量分析計と連結した。２５−ヒドロキシビタミンＤ２及びＤ３は、ポジティブイオン化モードＭＲＭ／ＳＲＭスキャンで検出し、定量した。以下のパラメーターを用いた：イオン化電圧５０００Ｖ；蒸発器温度４５０℃；シースガス２０Ａｒｂ；Ａｕｘ  ２０Ａｒｂ；衝突圧１．０ｍトル；衝突エネルギー１６〜１８Ｖ。
【０３０３】
以下の質量遷移をモニターする。
【０３０４】
【表Ｂ】
2018515796.tif 000039
【０３０５】
図４１に２５−ヒドロキシビタミンＤ分析のクロマトグラムを示す。図４２に２５−ヒドロキシビタミンＤ２分析の較正曲線を示す。図４３に２５−ヒドロキシビタミンＤ３分析の較正曲線を示す。
【０３０６】
分析の直線範囲は、５〜１００ｎｇ／ｍＬであった。定量限界（ＬＯＱ）は、４ｎｇ／ｍＬであった。
【０３０７】
本明細書で言及又は引用した論文、特許及び特許出願、並びにその他の全文献及び電子的に入手できる情報の内容は、各個別の刊行物が参照により具体的及び個別に組み入れられるように示される場合と同程度に参照により本明細書に全体として組み入れられる。出願人らは、任意のこのような論文、特許、特許出願又はその他の物理的及び電子的文献からのありとあらゆる材料及び情報を本出願に物理的に組み入れる権利を保持する。
【０３０８】
本明細書で例示的に記載した方法は、本明細書に具体的に開示していない任意の要素又は要素（複数）、限定又は限定（複数）の非存在下で適切に実施することができる。したがって、例えば、用語「ｃｏｍｐｒｉｓｉｎｇ（含む）」、「ｉｎｃｌｕｄｉｎｇ（含む）」、「ｃｏｎｔａｉｎｉｎｇ（含有する）」などは、広範に、限定されることなく読み取られるべきである。さらに、本明細書で使用した用語及び表現は、限定ではなく説明のために使用されており、このような用語及び表現の使用において、示された、及び説明された特徴の任意の同等物又はその一部を排除するものではない。請求した本発明の範囲内において様々な変更が可能であることは認識されている。したがって、本発明を好ましい実施形態及び任意選択の特徴によって具体的に開示してきたが、本明細書で開示しその中で実施される本発明の変更及び変形は当業者であれば用いることができ、このような変更及び変形は本発明の範囲内であると見なされることを理解されたい。
【０３０９】
本発明は、本明細書において広範及び一般的に記載してきた。一般的な開示に含まれるより狭い種及び亜種のそれぞれも本方法の一部を形成する。これには、部類から任意の対象物を削除する条件又は消極的限定を有する方法の一般的説明が、削除された材料が本明細書に具体的に記載されているか否かに関わらず、含まれる。
【０３１０】
その他の実施形態は、以下の特許請求の範囲に含まれる。さらに、方法の特徴又は態様がマーカッシュ群によって記載されている場合は、当業者であれば、本発明はまた、マーカッシュ群の任意の個々の構成要素又は構成要素の亜群によって記載されることを理解するであろう。
【図１】
2018515796.tif 000040
【図２】
2018515796.tif 000041
【図３】
2018515796.tif 000042
【図４】
2018515796.tif 000043
【図５】
2018515796.tif 000044
【図６】
2018515796.tif 000045
【図７】
2018515796.tif 000046
【図８】
2018515796.tif 000047
【図９】
2018515796.tif 000048
【図１０】
2018515796.tif 000049
【図１１】
2018515796.tif 000050
【図１２】
2018515796.tif 000051
【図１３】
2018515796.tif 000052
【図１４】
2018515796.tif 000053
【図１５】
2018515796.tif 000054
【図１６】
2018515796.tif 000055
【図１７】
2018515796.tif 000056
【図１８−１】
2018515796.tif 000057
【図１８−２】
2018515796.tif 000058
【図１９−１】
2018515796.tif 000059
【図１９−２】
2018515796.tif 000060
【図２０】
2018515796.tif 000061
【図２１−１】
2018515796.tif 000062
【図２１−２】
2018515796.tif 000063
【図２２−１】
2018515796.tif 000064
【図２２−２】
2018515796.tif 000065
【図２３−１】
2018515796.tif 000066
【図２３−２】
2018515796.tif 000067
【図２４】
2018515796.tif 000068
【図２５】
2018515796.tif 000069
【図２６】
2018515796.tif 000070
【図２７】
2018515796.tif 000071
【図２８】
2018515796.tif 000072
【図２９】
2018515796.tif 000073
【図３０】
2018515796.tif 000074
【図３１】
2018515796.tif 000075
【図３２】
2018515796.tif 000076
【図３３】
2018515796.tif 000077
【図３４】
2018515796.tif 000078
【図３５】
2018515796.tif 000079
【図３６】
2018515796.tif 000080
【図３７】
2018515796.tif 000081
【図３８】
2018515796.tif 000082
【図３９】
2018515796.tif 000083
【図４０】
2018515796.tif 000084
【図４１】
2018515796.tif 000085
【図４２】
2018515796.tif 000086
【図４３】
2018515796.tif 000087
【国際調査報告】
2018515796.tif 000088
2018515796.tif 000089